(57)【要約】光学ファインダで観察される被写体の光学像に表示情報を重畳表示させるための表示デバイスの焼き付きを防止し、かつ表示デバイスに表示される表示情報の位置と実際に撮像される範囲との相対的な位置関係が変化しないようにすることができる撮像装置、ファインダ装置、撮像装置の制御方法、ファインダ装置の制御方法、撮像装置の制御プログラム及びファインダ装置の制御プログラムを提供する。ＯＬＥＤディスプレイ（２１８）の規定位置に表示される視野枠等の表示情報を、ＯＬＥＤディスプレイ（２１８）上で移動させ、ＯＬＥＤディスプレイ（２１８）の焼き付きを防止する。また、表示情報の移動に対応してイメージセンサ（２０１）による撮像範囲を移動させ、光学ファインダで観察される被写体の光学像に重畳表示される表示情報の位置と、実際に撮像される範囲との相対的な位置関係が変化しないようにする。
2019087928.tif 000002
【特許請求の範囲】
【請求項１】
被写体の光学像を観察する光学ファインダと、
表示デバイスと、
前記光学ファインダの光路中に配置され、前記光学ファインダで観察される前記被写体の前記光学像と前記表示デバイスに表示される表示情報とを重畳させる光学素子と、
撮像光学系を介して前記被写体の光学像が結像されるイメージセンサと、
前記表示デバイスの規定位置に表示される前記表示情報を、前記表示デバイス上で移動させる表示制御部と、
前記表示デバイス上で移動する前記表示情報の移動量に対応して前記イメージセンサによる撮像範囲を移動させる撮像範囲移動制御部と、
を備えた撮像装置。
【請求項２】
前記撮像範囲移動制御部は、前記表示デバイス上で移動する前記表示情報の移動量に対応して、前記イメージセンサを前記撮像光学系の光軸方向と直交する方向に移動させ、前記イメージセンサによる撮像範囲を移動させるセンサ移動制御部である請求項１に記載の撮像装置。
【請求項３】
像ブレを補正する防振装置を備え、
前記防振装置は、前記センサ移動制御部を含む請求項２に記載の撮像装置。
【請求項４】
前記撮像範囲移動制御部は、前記表示デバイス上で移動する前記表示情報の移動量に対応して、前記撮像光学系の少なくとも一部の光学部材を前記撮像光学系の光軸方向と直交する方向に移動させ、前記イメージセンサによる撮像範囲を移動させる光学部材移動制御部である請求項１に記載の撮像装置。
【請求項５】
像ブレを補正する防振装置を備え、
前記防振装置は、前記光学部材移動制御部を含む請求項４に記載の撮像装置。
【請求項６】
前記撮像範囲移動制御部は、前記表示デバイス上で移動する前記表示情報の移動量に対応して、前記イメージセンサの有効画素領域から切り出す撮像画素領域の切り出し位置を制御し、前記イメージセンサによる撮像範囲を移動させる画像切り出し部である請求項１に記載の撮像装置。
【請求項７】
前記表示デバイスの規定位置に表示される前記表示情報は、視野枠及びフォーカス枠のうちの少なくとも一方を含む請求項１から６のいずれか１項に記載の撮像装置。
【請求項８】
被写体の光学像を観察する光学ファインダと、
表示デバイスと、
前記光学ファインダの光路中に配置され、前記光学ファインダで観察される前記被写体の前記光学像と前記表示デバイスに表示される表示情報とを重畳させる光学素子と、
前記表示デバイスの表示面と同一の平面内で前記表示デバイスを移動させる表示デバイス移動制御部と、
前記表示デバイス上で前記表示情報を移動させ、前記表示デバイスの移動による前記表示情報の移動を相殺する表示制御部と、
を備えたファインダ装置。
【請求項９】
被写体の光学像を観察する光学ファインダと、
表示デバイスと、
前記光学ファインダの光路中に配置され、前記光学ファインダで観察される前記被写体の前記光学像と前記表示デバイスに表示される表示情報とを重畳させる光学素子と、
前記表示デバイスと前記光学素子との間に配置された表示用光学系と、
前記表示デバイス又は前記表示用光学系を前記表示用光学系の光軸方向に移動させ、前記光学ファインダの接眼部により視認される前記表示情報の光学倍率を変化させる光学倍率制御部と、
前記表示デバイスに表示される前記表示情報の表示倍率を変化させ、前記表示情報の前記光学倍率の変化を相殺する表示倍率制御部と、
を備えたファインダ装置。
【請求項１０】
前記表示デバイスの規定位置に表示される前記表示情報は、視野枠及びフォーカス枠のうちの少なくとも一方を含む請求項８又は９に記載のファインダ装置。
【請求項１１】
請求項８から１０のいずれか１項に記載のファインダ装置を備えた撮像装置。
【請求項１２】
前記表示デバイスは、自発光表示デバイスである請求項１から７及び１１のいずれか１項に記載の撮像装置。
【請求項１３】
前記光学ファインダは、撮像光学系から独立したファインダ光学系である請求項１から７、１１、及び１２のいずれか１項に記載の撮像装置。
【請求項１４】
前記光学ファインダは、撮像光学系を通過した被写体の光学像を接眼部により観察する一眼レフレックス光学系である請求項１から７、１１、及び１２のいずれか１項に記載の撮像装置。
【請求項１５】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、撮像光学系を介して前記被写体の光学像が結像されるイメージセンサと、を備えた撮像装置の制御方法であって、
前記表示デバイスの規定位置に表示される前記表示情報を、前記表示デバイス上で移動させるステップと、
前記表示デバイス上で移動する前記表示情報に対応して前記イメージセンサによる撮像範囲を移動させるステップと、
前記表示デバイス上の前記表示情報の移動及び前記撮像範囲の移動を、それぞれ移動量を変化させて繰り返し実行するステップと、
を含む撮像装置の制御方法。
【請求項１６】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、を備えたファインダ装置の制御方法であって、
前記表示デバイスの表示面と同一の平面内で前記表示デバイスを移動させるステップと、
前記表示デバイス上で前記表示情報を移動させ、前記表示デバイスの移動による前記表示情報の移動を相殺するステップと、
前記表示デバイスの移動及び前記表示デバイス上の前記表示情報の移動を、それぞれ移動量を変化させて繰り返し実行するステップと、
を含むファインダ装置の制御方法。
【請求項１７】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、前記表示デバイスと前記光学素子との間に配置された表示用光学系と、を備えたファインダ装置の制御方法であって、
前記表示デバイス又は前記表示用光学系を前記表示用光学系の光軸方向に移動させ、前記光学ファインダの接眼部により視認される前記表示情報の光学倍率を変化させるステップと、
前記表示デバイスに表示される前記表示情報の表示倍率を変化させ、前記表示情報の前記光学倍率の変化を相殺するステップと、
前記表示情報の光学倍率及び前記表示情報の表示倍率を、それぞれ倍率を変化させて繰り返し実行するステップと、
を含むファインダ装置の制御方法。
【請求項１８】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、撮像光学系を介して前記被写体の光学像が結像されるイメージセンサと、を備えた撮像装置の制御プログラムであって、
前記表示デバイスの規定位置に表示される前記表示情報を、前記表示デバイス上で移動させる機能と、
前記表示デバイス上で移動する前記表示情報に対応して前記イメージセンサによる撮像範囲を移動させる機能と、
前記表示デバイス上の前記表示情報の移動及び前記撮像範囲の移動を、それぞれ移動量を変化させて繰り返し実行する機能と、
を前記撮像装置に実行させる撮像装置の制御プログラム。
【請求項１９】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、を備えたファインダ装置の制御プログラムであって、
前記表示デバイスの表示面と同一の平面内で前記表示デバイスを移動させる機能と、
前記表示デバイス上で前記表示情報を移動させ、前記表示デバイスの移動による前記表示情報の移動を相殺する機能と、
前記表示デバイスの移動及び前記表示デバイス上の前記表示情報の移動を、それぞれ移動量を変化させて繰り返し実行する機能と、
を前記ファインダ装置に実行させるファインダ装置の制御プログラム。
【請求項２０】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、前記表示デバイスと前記光学素子との間に配置された表示用光学系と、を備えたファインダ装置の制御プログラムであって、
前記表示デバイス又は前記表示用光学系を前記表示用光学系の光軸方向に移動させ、前記光学ファインダの接眼部により視認される前記表示情報の光学倍率を変化させる機能と、
前記表示デバイスに表示される前記表示情報の表示倍率を変化させ、前記表示情報の前記光学倍率の変化を相殺する機能と、
前記表示情報の光学倍率及び前記表示情報の表示倍率を、それぞれ倍率を変化させて繰り返し実行する機能と、
を前記ファインダ装置に実行させるファインダ装置の制御プログラム。
【請求項２１】
非一時的かつコンピュータ読取可能な記録媒体であって、前記記録媒体に格納された指令がコンピュータによって読み取られた場合に、
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、撮像光学系を介して前記被写体の光学像が結像されるイメージセンサと、を備えた撮像装置の制御機能であって、
前記表示デバイスの規定位置に表示される前記表示情報を、前記表示デバイス上で移動させる機能と、
前記表示デバイス上で移動する前記表示情報に対応して前記イメージセンサによる撮像範囲を移動させる機能と、
前記表示デバイス上の前記表示情報の移動及び前記撮像範囲の移動を、それぞれ移動量を変化させて繰り返し実行する機能と、
を前記撮像装置に実行させる制御機能をコンピュータに実現させる記録媒体。
【請求項２２】
非一時的かつコンピュータ読取可能な記録媒体であって、前記記録媒体に格納された指令がコンピュータによって読み取られた場合に、
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、を備えたファインダ装置の制御機能であって、
前記表示デバイスの表示面と同一の平面内で前記表示デバイスを移動させる機能と、
前記表示デバイス上で前記表示情報を移動させ、前記表示デバイスの移動による前記表示情報の移動を相殺する機能と、
前記表示デバイスの移動及び前記表示デバイス上の前記表示情報の移動を、それぞれ移動量を変化させて繰り返し実行する機能と、
を前記ファインダ装置に実行させる制御機能をコンピュータに実現させる記録媒体。
【請求項２３】
非一時的かつコンピュータ読取可能な記録媒体であって、前記記録媒体に格納された指令がコンピュータによって読み取られた場合に、
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、前記表示デバイスと前記光学素子との間に配置された表示用光学系と、を備えたファインダ装置の制御機能であって、
前記表示デバイス又は前記表示用光学系を前記表示用光学系の光軸方向に移動させ、前記光学ファインダの接眼部により視認される前記表示情報の光学倍率を変化させる機能と、
前記表示デバイスに表示される前記表示情報の表示倍率を変化させ、前記表示情報の前記光学倍率の変化を相殺する機能と、
前記表示情報の光学倍率及び前記表示情報の表示倍率を、それぞれ倍率を変化させて繰り返し実行する機能と、
を前記ファインダ装置に実行させる制御機能をコンピュータに実現させる記録媒体。
【発明の詳細な説明】
【技術分野】
【０００１】
本発明は撮像装置、ファインダ装置、撮像装置の制御方法、ファインダ装置の制御方法、撮像装置の制御プログラム及びファインダ装置の制御プログラムに係り、特にファインダ装置に使用される表示デバイスの焼き付きを防止する技術に関する。
【背景技術】
【０００２】
従来、光学ファインダで観察される被写体の光学像に、表示部に表示された撮像範囲を示す枠（ブライトフレーム）、被写体距離情報等の表示情報をハーフミラーにて重畳して表示できるようにしたファインダ装置が知られている（特許文献１）。【０００３】
また、有機ＥＬ(Electro Luminescence)ディスプレイ等の自発光ディスプレイを備えたカメラにおいて、自発光ディスプレイの焼き付きを抑制する技術が提案されている（特許文献２）。【０００４】
特許文献２に記載のカメラは、カメラ背面に配設されるディスプレイとして、有機ＥＬディスプレイを使用し、この有機ＥＬディスプレイに撮像されたライブビュー画像を表示するとともに、表示画面の周辺部に現在のカメラの状態をユーザに報知するために種々のアイコン、及び画面中央にオートフォーカス用基準ウインドウ（フォーカス枠）を重畳して表示するようにしている。【０００５】
また、特許文献２に記載のカメラは、有機ＥＬディスプレイの焼き付きを抑制するために、本来、表示画面の固定された位置に表示される種々のアイコン及びフォーカス枠等の表示情報の位置を、ユーザが肉眼で検知不能な程度の微少量だけ変化させて表示させるようにしている。具体的には、有機ＥＬディスプレイの上下左右方向に１画素ずつ時計回りに順次ずらして表示情報を表示させることで焼き付きを抑制している。
【先行技術文献】
【特許文献】
【０００６】
【特許文献１】特開２０１２−８５２６１号公報
【特許文献２】特開２００５−３７８４３号公報
【発明の概要】
【発明が解決しようとする課題】
【０００７】
特許文献１に記載の表示部としては、液晶表示装置が例示されているが、特許文献１には、表示部に表示される表示情報により、表示部の画面の特定の部位（例えば、連続して高輝度で表示されている部位）の画素が劣化（いわゆる「焼き付き」が発生）するという課題を示す記載はない。【０００８】
一方、特許文献２に記載の有機ＥＬディスプレイ等の自発光ディスプレイは、カメラ背面に配設されるディスプレイであり、光学ファインダで観察される被写体の光学像に、ハーフミラーを使用してアイコン、フォーカス枠等の表示情報を重畳表示させるディスプレイではない。【０００９】
また、特許文献２に記載のカメラは、有機ＥＬディスプレイの焼き付きを抑制するために、本来、表示画面の固定された位置に表示される種々のアイコン及びフォーカス枠等の表示情報の位置を、ユーザが肉眼で検知不能な程度の微少量だけ変化させて表示させているが、例えば、特許文献２に記載のように有機ＥＬディスプレイの上下左右方向に１画素ずつ時計回りに順次ずらして表示情報を表示させる場合、ずらし量が少なすぎるため、表示情報の境界がぼやけるものの、常時表示され続ける画素が存在し、その画素が劣化するという問題がある。【００１０】
一方、ユーザが肉眼で検知不能な程度の微少量を超えて表示情報をずらすと、本来、表示デバイスの規定位置に表示されるべき表示情報（例えば、視野枠やフォーカス枠等）がずれ、ユーザが視野枠で確認した撮像範囲と実際に撮像される範囲とがずれたり、また、フォーカス枠で合わせたオートフォーカス用の対象と実際にオートフォーカスされる対象とがずれるという問題がある。【００１１】
本発明はこのような事情に鑑みてなされたもので、光学ファインダで観察される被写体の光学像に表示情報を重畳表示させるための表示デバイスの焼き付きを防止し、かつ表示デバイスに表示される表示情報の位置と実際に撮像される範囲との相対的な位置関係が変化しないようにすることができる撮像装置、ファインダ装置、撮像装置の制御方法、ファインダ装置の制御方法、撮像装置の制御プログラム及びファインダ装置の制御プログラムを提供することを目的とする。
【課題を解決するための手段】
【００１２】
上記目的を達成するために本発明の一の態様に係る撮像装置は、被写体の光学像を観察する光学ファインダと、表示デバイスと、光学ファインダの光路中に配置され、光学ファインダで観察される被写体の光学像と表示デバイスに表示される表示情報とを重畳させる光学素子と、撮像光学系を介して被写体の光学像が結像されるイメージセンサと、表示デバイスの規定位置に表示される表示情報を、表示デバイス上で移動させる表示制御部と、表示デバイス上で移動する表示情報の移動量に対応してイメージセンサによる撮像範囲を移動させる撮像範囲移動制御部と、を備える。【００１３】
本発明の一の態様によれば、表示デバイスの規定位置に表示される表示情報を、表示デバイス上で移動させるようにしたため、表示デバイスの焼き付きを防止することができる。また、表示デバイス上で表示情報を移動させても、その表示情報の移動量に対応してイメージセンサによる撮像範囲を移動させるようにしたため、光学ファインダで観察される被写体の光学像に重畳表示される表示情報の位置と、実際に撮像される範囲との相対的な位置関係が変化しないようにすることができる。【００１４】
本発明の他の態様に係る撮像装置において、撮像範囲移動制御部は、表示デバイス上で移動する表示情報の移動量に対応して、イメージセンサを撮像光学系の光軸方向と直交する方向に移動させ、イメージセンサによる撮像範囲を移動させるセンサ移動制御部であることが好ましい。【００１５】
本発明の他の態様によれば、表示情報の移動量に対応してイメージセンサ自体を撮像光学系の光軸方向と直交する方向に移動させることで、光学ファインダで観察される被写体の光学像に重畳表示される表示情報の位置と、実際に撮像される範囲との相対的な位置関係が変化しないようにしている。【００１６】
本発明の更に他の態様に係る撮像装置において、像ブレを補正する防振装置を備え、防振装置は、センサ移動制御部を含むことが好ましい。これによれば、イメージセンサを移動させるための機構として、既存の防振装置を適用することができ、新たなハードウェアを追加することなく装置を構成することができる。【００１７】
本発明の更に他の態様に係る撮像装置において、撮像範囲移動制御部は、表示デバイス上で移動する表示情報の移動量に対応して、撮像光学系の少なくとも一部の光学部材を撮像光学系の光軸方向と直交する方向に移動させ、イメージセンサによる撮像範囲を移動させる光学部材移動制御部であることが好ましい。【００１８】
本発明の更に他の態様によれば、表示情報の移動量に対応して撮像光学系の少なくとも一部の光学部材を撮像光学系の光軸方向と直交する方向に移動させることで、光学ファインダで観察される被写体の光学像に重畳表示される表示情報の位置と、実際に撮像される範囲との相対的な位置関係が変化しないようにしている。【００１９】
本発明の更に他の態様に係る撮像装置において、像ブレを補正する防振装置を備え、防振装置は、光学部材移動制御部を含むことが好ましい。これによれば、撮像光学系の少なくとも一部の光学部材を移動させるための機構として、既存の防振装置を適用することができ、新たなハードウェアを追加することなく装置を構成することができる。【００２０】
本発明の更に他の態様に係る撮像装置において、撮像範囲移動制御部は、表示デバイス上で移動する表示情報の移動量に対応して、イメージセンサの有効画素領域から切り出す撮像画素領域の切り出し位置を制御し、イメージセンサによる撮像範囲を移動させる画像切り出し部であることが好ましい。【００２１】
本発明の更に他の態様によれば、表示デバイス上で移動する表示情報の移動量に対応して、イメージセンサの有効画素領域から実際に撮像される範囲（撮像範囲）を移動させて切り出すことで、光学ファインダで観察される被写体の光学像に重畳表示される表示情報の位置と、実際に撮像される範囲との相対的な位置関係が変化しないようにしている。一般にイメージセンサの有効画素領域の画素数は、記録される撮像画像の画素数よりも大きく、撮像に使用されていない余裕部分が存在するため、イメージセンサの有効画素領域の余裕部分を使用して撮像画素領域の切り出し位置を変えることができる。【００２２】
本発明の更に他の態様に係る撮像装置において、表示デバイスの規定位置に表示される表示情報は、視野枠及びフォーカス枠のうちの少なくとも一方を含むことが好ましい。視野枠又はフォーカス枠は、表示デバイスの規定位置に表示されるべき表示情報だからである。【００２３】
本発明の更に他の態様に係るファインダ装置は、被写体の光学像を観察する光学ファインダと、表示デバイスと、光学ファインダの光路中に配置され、光学ファインダで観察される被写体の光学像と表示デバイスに表示される表示情報とを重畳させる光学素子と、表示デバイスの表示面と同一の平面内で表示デバイスを移動させる表示デバイス移動制御部と、表示デバイス上で表示情報を移動させ、表示デバイスの移動による表示情報の移動を相殺する表示制御部と、を備える。【００２４】
本発明の更に他の態様によれば、表示デバイス自体をその表示面と同一の平面内で移動させ、この表示デバイスの移動に対応して表示情報を、表示デバイス上で移動させることで、表示デバイスの移動による表示情報の移動を相殺するようにしている。これにより、表示デバイスの焼き付きを防止することができ、かつ表示デバイスに表示される表示情報の位置は、光学ファインダに対して移動しないようにすることができる。【００２５】
本発明の更に他の態様に係るファインダ装置は、被写体の光学像を観察する光学ファインダと、表示デバイスと、光学ファインダの光路中に配置され、光学ファインダで観察される被写体の光学像と表示デバイスに表示される表示情報とを重畳させる光学素子と、表示デバイスと光学素子との間に配置された表示用光学系と、表示デバイス又は表示用光学系を表示用光学系の光軸方向に移動させ、光学ファインダの接眼部により視認される表示情報の光学倍率を変化させる光学倍率制御部と、表示デバイスに表示される表示情報の表示倍率を変化させ、表示情報の光学倍率の変化を相殺する表示倍率制御部と、を備える。【００２６】
本発明の更に他の態様によれば、表示デバイス又は表示用光学系を表示用光学系の光軸方向に移動させ、光学ファインダの接眼部により視認される表示情報の光学倍率を変化させ、この表示情報の光学倍率の変化に応じて表示デバイスに表示される表示情報の表示倍率を変化させることで、表示情報の光学倍率の変化を相殺するようにしている。これにより、表示デバイスの焼き付きを防止することができ、表示デバイスに表示される表示情報の大きさを拡縮しても（表示位置を変えても）、光学ファインダの接眼部により視認される表示情報の大きさを変化させないようにすることができる。【００２７】
本発明の更に他の態様に係るファインダ装置において、表示デバイスの規定位置に表示される表示情報は、視野枠及びフォーカス枠のうちの少なくとも一方を含むことが好ましい。視野枠又はフォーカス枠は、表示デバイスの規定位置に表示されるべき表示情報だからである。【００２８】
本発明の更に他の態様に係る撮像装置は、上記のファインダ装置を備えることが好ましい。【００２９】
本発明の更に他の態様に係る撮像装置において、表示デバイスは、自発光表示デバイスであることが好ましい。複数の有機エレクトロルミネッセンス素子からなる表示デバイス等の自発光表示デバイスは、焼き付きの問題があるからである。【００３０】
本発明の更に他の態様に係る撮像装置において、光学ファインダは、撮像光学系から独立したファインダ光学系である。【００３１】
本発明の更に他の態様に係る撮像装置において、光学ファインダは、撮像光学系を通過した被写体の光学像を接眼部により観察する一眼レフレックス光学系である。【００３２】
更に他の態様に係る本発明は、被写体の光学像を観察する光学ファインダと、表示デバイスと、光学ファインダの光路中に配置され、光学ファインダで観察される被写体の光学像と表示デバイスに表示される表示情報とを重畳させる光学素子と、撮像光学系を介して被写体の光学像が結像されるイメージセンサと、を備えた撮像装置の制御方法であって、表示デバイスの規定位置に表示される表示情報を、表示デバイス上で移動させるステップと、表示デバイス上で移動する表示情報に対応してイメージセンサによる撮像範囲を移動させるステップと、表示デバイス上の表示情報の移動及び撮像範囲の移動を、それぞれ移動量を変化させて繰り返し実行するステップと、を含む。【００３３】
本発明の更に他の態様によれば、表示デバイスの規定位置に表示される表示情報を、表示デバイス上で移動させ、かつ表示デバイス上で移動する表示情報に対応してイメージセンサによる撮像範囲を移動させる。これらの表示情報の移動と撮像範囲の移動は、同時に行うことが好ましい。そして、表示デバイス上の表示情報の移動及び撮像範囲の移動を、それぞれ移動量を変化させて繰り返し実行することで、表示デバイスの焼き付きを防止するようにしている。【００３４】
更に他の態様に係る本発明は、被写体の光学像を観察する光学ファインダと、表示デバイスと、光学ファインダの光路中に配置され、光学ファインダで観察される被写体の光学像と表示デバイスに表示される表示情報とを重畳させる光学素子と、を備えたファインダ装置の制御方法であって、表示デバイスの表示面と同一の平面内で表示デバイスを移動させるステップと、表示デバイス上で表示情報を移動させ、表示デバイスの移動による表示情報の移動を相殺するステップと、表示デバイスの移動及び表示デバイス上の表示情報の移動を、それぞれ移動量を変化させて繰り返し実行するステップと、を含む。【００３５】
本発明の更に他の態様によれば、表示デバイス自体をその表示面と同一の平面内で移動させ、この表示デバイスの移動に対応して表示情報を、表示デバイス上で移動させることで、表示デバイスの移動による表示情報の移動を相殺するようにしている。これらの表示デバイスの移動と表示デバイス上の表示情報の移動は、同時に行うことが好ましい。そして、表示デバイスの移動及び表示デバイス上の表示情報の移動を、それぞれ移動量を変化させて繰り返し実行することで、表示デバイスの焼き付きを防止し、かつ表示情報が実質的に移動しないようにしている。【００３６】
更に他の態様に係る本発明は、被写体の光学像を観察する光学ファインダと、表示デバイスと、光学ファインダの光路中に配置され、光学ファインダで観察される被写体の光学像と表示デバイスに表示される表示情報とを重畳させる光学素子と、表示デバイスと光学素子との間に配置された表示用光学系と、を備えたファインダ装置の制御方法であって、表示デバイス又は表示用光学系を表示用光学系の光軸方向に移動させ、光学ファインダの接眼部により視認される表示情報の光学倍率を変化させるステップと、表示デバイスに表示される表示情報の表示倍率を変化させ、表示情報の光学倍率の変化を相殺するステップと、表示情報の光学倍率及び表示情報の表示倍率を、それぞれ倍率を変化させて繰り返し実行するステップと、を含む。【００３７】
本発明の更に他の態様によれば、表示デバイス又は表示用光学系を表示用光学系の光軸方向に移動させ、光学ファインダの接眼部により視認される表示情報の光学倍率を変化させ、この表示情報の光学倍率の変化に応じて表示デバイスに表示される表示情報の表示倍率を変化させることで、表示情報の光学倍率の変化を相殺するようにしている。表示情報の光学倍率及び表示情報の表示倍率の変更は同時に行うことが好ましい。そして、表示情報の光学倍率及び表示情報の表示倍率を変更することで、表示デバイスの焼き付きを防止することができ、また、表示デバイスに表示される表示情報の大きさを拡縮しても（表示位置を変えても）、光学ファインダの接眼部により視認される表示情報の大きさを変化させないようにすることができる。【００３８】
更に他の態様に係る本発明は、被写体の光学像を観察する光学ファインダと、表示デバイスと、光学ファインダの光路中に配置され、光学ファインダで観察される被写体の光学像と表示デバイスに表示される表示情報とを重畳させる光学素子と、撮像光学系を介して被写体の光学像が結像されるイメージセンサと、を備えた撮像装置の制御プログラムであって、表示デバイスの規定位置に表示される表示情報を、表示デバイス上で移動させる機能と、表示デバイス上で移動する表示情報に対応してイメージセンサによる撮像範囲を移動させる機能と、表示デバイス上の表示情報の移動及び撮像範囲の移動を、それぞれ移動量を変化させて繰り返し実行する機能と、を撮像装置に実行させる。【００３９】
更に他の態様に係る本発明は、被写体の光学像を観察する光学ファインダと、表示デバイスと、光学ファインダの光路中に配置され、光学ファインダで観察される被写体の光学像と表示デバイスに表示される表示情報とを重畳させる光学素子と、を備えたファインダ装置の制御プログラムであって、表示デバイスの表示面と同一の平面内で表示デバイスを移動させる機能と、表示デバイス上で表示情報を移動させ、表示デバイスの移動による表示情報の移動を相殺する機能と、表示デバイスの移動及び表示デバイス上の表示情報の移動を、それぞれ移動量を変化させて繰り返し実行する機能と、をファインダ装置に実行させる。【００４０】
更に他の態様に係る本発明は、被写体の光学像を観察する光学ファインダと、表示デバイスと、光学ファインダの光路中に配置され、光学ファインダで観察される被写体の光学像と表示デバイスに表示される表示情報とを重畳させる光学素子と、表示デバイスと光学素子との間に配置された表示用光学系と、を備えたファインダ装置の制御プログラムであって、表示デバイス又は表示用光学系を表示用光学系の光軸方向に移動させ、光学ファインダの接眼部により視認される表示情報の光学倍率を変化させる機能と、表示デバイスに表示される表示情報の表示倍率を変化させ、表示情報の光学倍率の変化を相殺する機能と、表示情報の光学倍率及び表示情報の表示倍率を、それぞれ倍率を変化させて繰り返し実行する機能と、をファインダ装置に実行させる。
【発明の効果】
【００４１】
本発明によれば、光学ファインダで観察される被写体の光学像に表示デバイスに表示された表示情報を重畳表示する際に、表示デバイスの焼き付きを防止し、かつ表示デバイスに表示される表示情報の位置と実際に撮像される範囲との相対的な位置関係が変化しないようにすることができる。
【図面の簡単な説明】
【００４２】
【図１】図１は本発明に係る撮像装置を斜め前方から見た斜視図
【図２】図２は撮像装置の背面図
【図３】図３はカメラ本体２００−１に内蔵された第１の実施形態のファインダ装置２６０−１を示す概略構成図
【図４】図４は撮像装置１０の内部構成の実施形態を示すブロック図
【図５】図５はＯＶＦ画面の一例を示す図
【図６】図６は視野枠２１８Ａ及びフォーカス枠２１８Ｂ等が移動したＯＶＦ画面を示す図
【図７】図７はＯＬＥＤディスプレイ２１８の焼き付けを防止する第２の実施形態の撮像装置の内部構成を示すブロック図
【図８】図８はＯＬＥＤディスプレイ２１８の焼き付けを防止する第３の実施形態を説明するために用いたイメージセンサ２０１の正面図
【図９】図９はカメラ本体２００−１に内蔵された第２の実施形態のファインダ装置２６０−２を示す概略構成図
【図１０】図１０はＯＶＦ画面の他の例を示す図
【図１１】図１１はカメラ本体２００−１に内蔵された第３の実施形態のファインダ装置２６０−３を示す概略構成図
【図１２】図１２はＯＶＦ画面の更に他の例を示す図
【図１３】図１３は本発明に係る撮像装置の制御方法の実施形態を示すフローチャート
【図１４】図１４は本発明に係るファインダの制御方法の第１の実施形態を示すフローチャート
【図１５】図１５は本発明に係るファインダの制御方法の第２の実施形態を示すフローチャート
【図１６】図１６は本発明が適用可能な一眼レフカメラ（撮像装置１０−２）の概略構成図
【発明を実施するための形態】
【００４３】
以下、添付図面に従って本発明に係る撮像装置、ファインダ装置、撮像装置の制御方法、ファインダ装置の制御方法、撮像装置の制御プログラム及びファインダ装置の制御プログラムの好ましい実施の形態について説明する。
【００４４】
＜撮像装置の外観＞
図１は撮像装置を斜め前方から見た斜視図であり、図２は撮像装置の背面図である。
【００４５】
図１に示すように撮像装置１０は、交換レンズ１００−１と、交換レンズ１００−１が着脱可能なカメラ本体２００−１とから構成されたミラーレスのデジタル一眼カメラである。
【００４６】
図１において、カメラ本体２００−１の前面には、交換レンズ１００−１が装着される本体マウント２４８と、光学ファインダの対物窓２０、ファインダ切換レバー２１等が設けられ、カメラ本体２００−１の上面には、主としてシャッタレリーズスイッチ２２、シャッタスピードダイヤル２３、露出補正ダイヤル２４、電源レバー２５、内蔵フラッシュ３０、及びホットシュー３１等が設けられている。
【００４７】
また、図２に示すようにカメラ本体２００−１の背面には、主として液晶モニタ２１６、光学ファインダの接眼部（接眼窓）２６、ＭＥＮＵ／ＯＫキー２７、十字キー２８、再生ボタン２９、及びアイセンサ３２、及びビューモードボタン３４等が設けられている。
【００４８】
液晶モニタ２１６は、撮影モード時にライブビュー画像を表示したり、再生モード時に撮像した画像を再生表示する他、各種のメニュー画面を表示する表示部として機能する。ＭＥＮＵ／ＯＫキー２７は、液晶モニタ２１６の画面上にメニューを表示させる指令を行うためのメニューボタンとしての機能と、選択内容の確定及び実行などを指令するＯＫボタンとしての機能とを兼備した操作キーである。十字キー２８は、上下左右の４方向の指示を入力する操作部であり、メニュー画面から項目を選択したり、各メニューから各種設定項目の選択を指示したりするボタンとして機能する。また、十字キー２８の上キー及び下キーは撮像時のズームスイッチあるいは再生モード時の再生ズームスイッチとして機能し、左キー及び右キーは再生モード時のコマ送り（順方向及び逆方向送り）ボタンとして機能する。
【００４９】
また、ＭＥＮＵ／ＯＫキー２７、十字キー２８、及び液晶モニタ２１６に表示されるメニュー画面を使用することで、１枚の静止画を撮像する通常撮影モードの他に、静止画を連続撮影する連写モードを含む各種の撮影モードの設定を行うことができる。尚、連写モードを設定する場合、連写速度（例えば、約８コマ／秒、約３コマ／秒）の設定が可能である。
【００５０】
再生ボタン２９は、撮像記録した静止画又は動画を液晶モニタ２１６に表示させる再生モードに切り替えるためのボタンである。
【００５１】
図１に示したファインダ切換レバー２１は、光学ビューファインダ（ＯＶＦ：Optical View Finder）又は電子ビューファインダ(ＥＶＦ：Electronic View Finder)として機能するハイブリッドビューファインダであるファインダ装置２６０−１（図３）を、ＯＶＦ又はＥＶＦに切り換えるための切換レバーであり、このファインダ切換レバー２１の操作によりＯＶＦからＥＶＦに切り換えられ、又はＥＶＦからＯＶＥに切り換えられる。
【００５２】
ビューモードボタン３４は、ハイブリッドビューファインダと液晶モニタ２１６とを切り換えるボタンであり、ビューモードボタン３４が押される毎に、アイセンサ３２の検出出力に基づいてハイブリッドビューファインダの表示と液晶モニタ２１６の表示を切り換えるモードと、ハイブリッドビューファインダを固定表示（液晶モニタ２１６を非表示）するモードと、液晶モニタ２１６を固定表示（ハイブリッドビューファインダを非表示）するモードとを順次繰り返す。
【００５３】
尚、アイセンサ３２の検出出力に基づいてハイブリッドビューファインダの表示と液晶モニタ２１６の表示を切り換えるモードでは、アイセンサ３２が接眼窓２６に顔が近づいたことを検出すると、ハイブリッドビューファインダの表示に切り換え、接眼窓２６から顔が離れたことを検出すると、液晶モニタ２１６の表示に切り換えるモードである。
【００５４】
＜ファインダ装置＞
図３は、カメラ本体２００−１に内蔵された第１の実施形態のファインダ装置２６０−１を示す概略構成図である。
【００５５】
図３に示すファインダ装置２６０−１は、前述したようにＯＶＦ又はＥＶＦとして機能するハイブリッドビューファインダであり、主として対物レンズ２６２、ビームスプリッタ２６４、接眼レンズ２６６、ＯＬＥＤ(Organic Light Emitting Diode)ディスプレイ２１８、及び表示用光学系として機能するターゲットレンズ２６８とから構成されている。このファインダ装置２６０−１は、一眼レフ型のビューファインダとは異なり、撮像光学系１０２から独立している。
【００５６】
凹レンズの対物レンズ２６２と凸レンズの接眼レンズ２６６とにより、逆ガリレオ式の光学ファインダ（ＯＶＦ）が構成され、対物レンズ２６２と接眼レンズ２６６との間の光路中にビームスプリッタ２６４が配置されている。
【００５７】
ビームスプリッタ２６４は、２個の直角プリズムが接合されて構成され、ＯＶＦで観察される被写体の光学像とＯＬＥＤディスプレイ２１８（表示デバイス）に表示される表示情報とを重畳させる光学素子として機能する。即ち、対物レンズ２６２に入射する光学像は、ビームスプリッタ２６４を透過して接眼レンズ２６６により観察することができ、また、ＯＬＥＤディスプレイ２１８に表示される表示情報は、ビームスプリッタ２６４により直角に反射され接眼レンズ２６６により観察することができる。
【００５８】
ＯＬＥＤディスプレイ２１８は、有機ＥＬディスプレイともいい、２次元状に配列された表示素子が自ら発光する自発光表示デバイスの一つである。ＯＬＥＤディスプレイ２１８は、図５に示すように視野枠２１８Ａ及びフォーカス枠２１８Ｂのうちの少なくとも一方を表示し、また、図示しないシャッタスピード、絞り値、ＩＳＯ(International Organization for Standardization)感度等の撮影条件の他、撮影可能枚数、バッテリ残量、及び各種の設定モード等を示すアイコンが、視野枠２１８Ａの外側の領域に表示する。尚、視野枠２１８Ａは、光学像が明るい場合でも十分に視認可能なように明るいブライトフレームとして表示される。２６０Ａは、接眼レンズ２６６を介して観察されるＯＶＦ画面である。
【００５９】
ファインダ装置２６０−１は、対物レンズ２６２の前方にシャッタ２７０を挿入して被写体の光学像の入射を遮断し、かつＯＬＥＤディスプレイ２１８にライブビュー画像を表示させることにより、電子ビューファインダ（ＥＶＦ）として使用することができる。
【００６０】
＜撮像装置の内部構成＞
［交換レンズ］
図４は、撮像装置１０の内部構成の実施形態を示すブロック図である。
【００６１】
図４に示す交換レンズ１００−１は、カメラ本体２００−１の通信規格に沿って製造されたものであり、カメラ本体２００−１との間で通信を行うことができる、互換性のある交換レンズである。
【００６２】
この交換レンズ１００−１は、撮像光学系１０２、レンズ駆動部１１６、絞り制御部１１８、レンズ側ＣＰＵ（Central Processing Unit）１２０、フラッシュＲＯＭ(Read Only Memory)１２６、レンズ側通信部１５０、及びレンズマウント１６０を備える。
【００６３】
交換レンズ１００−１の撮像光学系１０２は、フォーカスレンズを含むレンズ群１０４及び絞り１０８を含む。
【００６４】
レンズ駆動部１１６は、レンズ側ＣＰＵ１２０からの指令に従ってフォーカスレンズを光軸方向のフォーカス位置（合焦位置）に移動させる。絞り制御部１１８は、レンズ側ＣＰＵ１２０からの指令に従って絞り１０８を制御する。
【００６５】
レンズ側ＣＰＵ１２０は、交換レンズ１００−１を統括制御するもので、ＲＯＭ１２４及びＲＡＭ(Random Access Memory)１２２を内蔵している。
【００６６】
フラッシュＲＯＭ１２６は、カメラ本体２００−１からダウンロードされたプログラム等を格納する不揮発性のメモリである。
【００６７】
レンズ側ＣＰＵ１２０は、ＲＯＭ１２４又はフラッシュＲＯＭ１２６に格納された制御プログラムに従い、ＲＡＭ１２２を作業領域として、交換レンズ１００−１の各部を統括制御する。
【００６８】
レンズ側通信部１５０は、レンズマウント１６０がカメラ本体２００−１の本体マウント２４８に装着されている状態で、レンズマウント１６０に設けられた複数の信号端子（レンズ側信号端子）を介してカメラ本体２００−１との通信を行う。即ち、レンズ側通信部１５０は、レンズ側ＣＰＵ１２０の指令に従って、レンズマウント１６０及び本体マウント２４８を介して接続されたカメラ本体２００−１の本体側通信部２４６との間で、リクエスト信号、回答信号の送受信（双方向通信）を行い、撮像光学系１０２の各光学部材のレンズ情報（フォーカスレンズのフォーカス位置情報、焦点距離情報及び絞り情報等）を、カメラ本体２００−１に通知する。
【００６９】
また、交換レンズ１００−１は、フォーカスレンズのフォーカス位置情報、及び絞り情報を検出する検出部（図示せず）を備えている。ここで、絞り情報とは、絞り１０８の絞り値（Ｆ値）等を示す情報である。
【００７０】
レンズ側ＣＰＵ１２０は、カメラ本体２００−１からのレンズ情報のリクエストに応えるために、検出されたフォーカス位置情報及び絞り情報を含む各種のレンズ情報をＲＡＭ１２２に保持することが好ましい。また、レンズ情報は、カメラ本体２００−１からのレンズ情報の要求があると検出され、又は光学部材が駆動されるときに検出され、又は一定の周期（動画のフレーム周期よりも十分に短い周期）で検出され、検出結果を保持することができる。
【００７１】
レンズ側通信部１５０は、レンズマウント１６０がカメラ本体２００−１の本体マウント２４８に装着されている状態で、レンズマウント１６０に設けられた複数の信号端子（レンズ側信号端子）を介してカメラ本体２００−１との通信を行う。即ち、レンズ側通信部１５０は、レンズ側ＣＰＵ１２０の指令に従って、レンズマウント１６０及び本体マウント２４８を介して接続されたカメラ本体２００−１の本体側通信部２４６との間で、リクエスト信号、回答信号の送受信（双方向通信）を行い、撮像光学系１０２の各光学部材のレンズ情報（フォーカスレンズのフォーカス位置情報、焦点距離情報及び絞り情報等）を、カメラ本体２００−１に通知する。
【００７２】
また、交換レンズ１００−１は、フォーカスレンズのフォーカス位置情報、及び絞り情報を検出する検出部（図示せず）を備えている。ここで、絞り情報とは、絞り１０８の絞り値（Ｆ値）、絞り１０８の開口径等を示す情報である。以下、本例では、絞り情報としてＦ値を使用する。
【００７３】
レンズ側ＣＰＵ１２０は、カメラ本体２００−１からのレンズ情報のリクエストに応えるために、検出されたフォーカス位置情報及び絞り情報を含む各種のレンズ情報をＲＡＭ１２２に保持することが好ましい。また、レンズ情報は、カメラ本体２００−１からのレンズ情報の要求があると検出され、又は光学部材が駆動されるときに検出され、又は一定の周期（動画のフレーム周期よりも十分に短い周期）で検出され、検出結果を保持することができる。
【００７４】
［カメラ本体］
図４に示す撮像装置１０を構成するカメラ本体２００−１は、イメージセンサ２０１、イメージセンサ制御部２０２、アナログ信号処理部２０３、Ａ／Ｄ（Analog/Digital）変換器２０４、画像入力コントローラ２０５、デジタル信号処理部２０６、ＲＡＭ２０７、圧縮伸張処理部２０８、防振機構２０９、メディア制御部２１０、メモリカード２１２、表示制御部２１４、液晶モニタ２１６、ＯＬＥＤディスプレイ２１８、本体側ＣＰＵ２２０、操作部２２２、時計部２２４、フラッシュＲＯＭ２２６、ＲＯＭ２２８、ＡＦ（Autofocus）制御部２３０、明るさ検出部２３２、手ブレ検出部２３４、無線通信部２３６、ＧＰＳ(Global Positioning System)受信部２３８、電源制御部２４０、バッテリ２４２、本体側通信部２４６、本体マウント２４８、内蔵フラッシュ３０（図１）を構成するフラッシュ発光部２５０、フラッシュ制御部２５２、フォーカルプレーンシャッタ（ＦＰＳ：focal-plane shutter）２５４、及びＦＰＳ制御部２５６を備える。
【００７５】
イメージセンサ２０１は、ＣＭＯＳ(Complementary Metal-Oxide Semiconductor)型のカラーイメージセンサにより構成されている。尚、イメージセンサ２０１は、ＣＭＯＳ型に限らず、ＸＹアドレス型、又はＣＣＤ（Charge Coupled Device）型のイメージセンサでもよい。
【００７６】
イメージセンサ２０１は、ｘ方向（水平方向）及びｙ方向（垂直方向）に二次元的に配列された光電変換素子（フォトダイオード）で構成される複数の画素上に、赤（Ｒ）、緑（Ｇ）及び青（Ｂ）のカラーフィルタが、周期的色配列（例えば、一般的なベイヤ配列）で配設され、各フォトダイオード上にはマイクロレンズが配置されている。
【００７７】
周期的色配列は、ベイヤ配列に限らず、Ｘ−Ｔｒａｎｓ（登録商標）配列等の他のカラーフィルタ配列でもよい。また、イメージセンサ２０１は、位相差画素（一対の第１及び第２の位相差画素）と撮像用の通常画素（位相差画素以外の画素）が配置されているものでもよい。位相差画素が配置されたイメージセンサ２０１の場合、像面位相差ＡＦを行うことができる。
【００７８】
交換レンズ１００−１の撮像光学系１０２によってイメージセンサ２０１の受光面に結像された被写体の光学像は、イメージセンサ２０１によって電気信号に変換される。イメージセンサ２０１の各画素には、入射する光量に応じた電荷が蓄積され、イメージセンサ２０１からは各画素に蓄積された電荷量に応じた電気信号が画像信号として読み出される。
【００７９】
イメージセンサ制御部２０２は、本体側ＣＰＵ２２０の指令に従って、イメージセンサ２０１から画像信号の読み出し制御を行う。また、イメージセンサ制御部２０２は、本体側ＣＰＵ２２０からの電子シャッタ制御信号により、イメージセンサ２０１の各画素に蓄積された電荷を同時に排出させて（一斉にリセットして）、露光を開始させる電子シャッタ機能を有する。
【００８０】
アナログ信号処理部２０３は、イメージセンサ２０１で被写体を撮像して得られたアナログの画像信号に対して、各種のアナログ信号処理を施す。アナログ信号処理部２０３は、サンプリングホールド回路、色分離回路、ＡＧＣ（Automatic Gain Control）回路等を含んで構成されている。ＡＧＣ回路は、撮像時の感度（ＩＳＯ感度(ＩＳＯ：International Organization for Standardization)）を調整する感度調整部として機能し、入力する画像信号を増幅する増幅器のゲインを調整し、画像信号の信号レベルが適切な範囲に入るようにする。Ａ／Ｄ変換器２０４は、アナログ信号処理部２０３から出力されたアナログの画像信号をデジタルの画像信号に変換する。
【００８１】
静止画又は動画の撮像時にイメージセンサ２０１、アナログ信号処理部２０３、及びＡ／Ｄ変換器２０４を介して出力されるＲＧＢの画素毎の画像データ（モザイク画像データ）は、画像入力コントローラ２０５からＲＡＭ２０７に入力され、一時的に記憶される。尚、イメージセンサ２０１がＣＭＯＳ型イメージセンサである場合、アナログ信号処理部２０３及びＡ／Ｄ変換器２０４は、イメージセンサ２０１内に内蔵されていることが多い。
【００８２】
デジタル信号処理部２０６は、ＲＡＭ２０７に格納されている画像データに対して、各種のデジタル信号処理を施す。デジタル信号処理部２０６は、ＲＡＭ２０７に記憶されている画像データを適宜読み出し、読み出した画像データに対してオフセット処理、感度補正を含むゲイン・コントロール処理、ガンマ補正処理、デモザイク処理（デモザイキング処理、同時化処理とも言う）、ＲＧＢ／ＹＣｒＣｂ変換処理等のデジタル信号処理を行い、デジタル信号処理後の画像データを再びＲＡＭ２０７に記憶させる。尚、デモザイク処理とは、例えば、ＲＧＢ３色のカラーフィルタからなるイメージセンサの場合、ＲＧＢからなるモザイク画像から画素毎にＲＧＢ全ての色情報を算出する処理であり、モザイクデータ（点順次のＲＧＢデータ）から同時化されたＲＧＢ３面の画像データを生成する。
【００８３】
ＲＧＢ／ＹＣｒＣｂ変換処理は、同時化されたＲＧＢデータを輝度データ（Ｙ）及び色差データ（Ｃｒ、Ｃｂ）に変換する処理である。
【００８４】
圧縮伸張処理部２０８は、静止画又は動画の記録時に、一旦ＲＡＭ２０７に格納された非圧縮の輝度データＹ及び色差データＣｂ，Ｃｒに対して圧縮処理を施す。静止画の場合には、例えばＪＰＥＧ(Joint Photographic coding Experts Group)形式で圧縮し、動画の場合には、例えばＨ．２６４形式で圧縮する。圧縮伸張処理部２０８により圧縮された画像データは、メディア制御部２１０を介してメモリカード２１２に記録される。また、圧縮伸張処理部２０８は、再生モード時にメディア制御部２１０を介してメモリカード２１２から得た圧縮された画像データに対して伸張処理を施し、非圧縮の画像データを生成する。
【００８５】
メディア制御部２１０は、圧縮伸張処理部２０８で圧縮された画像データを、メモリカード２１２に記録する制御を行う。また、メディア制御部２１０は、メモリカード２１２から、圧縮された画像データを読み出す制御を行う。
【００８６】
表示制御部２１４は、液晶表示デバイスからなる液晶モニタ２１６及びＯＬＥＤディスプレイ２１８をそれぞれ制御する。
【００８７】
液晶モニタ２１６にライブビュー画像を表示させる場合には、デジタル信号処理部２０６で連続的に生成されたデジタルの画像信号が、ＲＡＭ２０７に一時的に記憶される。表示制御部２１４は、このＲＡＭ２０７に一時記憶されたデジタルの画像信号を表示用の信号形式に変換して、液晶モニタ２１６に順次出力する。これにより、液晶モニタ２１６に撮像画像がリアルタイムに表示され、液晶モニタ２１６に表示されるライブビュー画像により構図を決定することができる。
【００８８】
ファインダ装置２６０−１をＯＶＦとして使用する場合、表示制御部２１４は、図５に示したように視野枠２１８Ａ、フォーカス枠２１８Ｂ、及びその他の情報を含む表示情報を、ＯＬＥＤディスプレイ２１８に表示させる。これにより、図３で説明したようにＯＶＦで観察される被写体の光学像に、ＯＬＥＤディスプレイ２１８に表示される表示情報（視野枠２１８Ａ、フォーカス枠２１８Ｂ等）を重畳させることができる。
【００８９】
ファインダ装置２６０−１をＥＶＦとして使用する場合、対物レンズ２６２の前方にシャッタ２７０を挿入して被写体の光学像の入射を遮断し、表示制御部２１４は、液晶モニタ２１６と同様にしてＯＬＥＤディスプレイ２１８にライブビュー画像を表示させる。
【００９０】
また、表示制御部２１４は、自発光表示デバイスの一つであるＯＬＥＤディスプレイ２１８の焼き付き（同一のＯＬＥＤ素子が長時間発光し続けることによる表示機能が損なわれること）を防止するために、ＯＬＥＤディスプレイ２１８の規定位置に表示される表示情報を、ＯＬＥＤディスプレイ２１８の表示面上で移動させる表示制御を行う。尚、ＯＬＥＤディスプレイ２１８の焼き付きを防止するための表示制御の詳細については後述する。
【００９１】
シャッタレリーズスイッチ２２は、撮像の指示を入力するための撮像指示部であり、いわゆる「半押し」と「全押し」とからなる２段ストローク式のスイッチで構成されている。
【００９２】
静止画撮影モードの場合、シャッタレリーズスイッチ２２が半押しされることによってＳ１オンの信号、半押しから更に押し込む全押しがされることによってＳ２オンの信号が出力され、Ｓ１オン信号が出力されると、本体側ＣＰＵ２２０は、オートフォーカス(ＡＦ：Autofocus)制御及び自動露出制御（ＡＥ（Auto Exposure)制御）などの撮像準備処理を実行し、Ｓ２オン信号が出力されると、静止画の撮像処理及び記録処理を実行する。尚、ＡＦ制御及びＡＥ制御は、それぞれ操作部２２２によりオートモードが設定されている場合に自動的に行われ、マニュアルモードが設定されている場合には、ＡＦ制御及びＡＥ制御が行われないことは言うまでもない。
【００９３】
また、動画撮影モードの場合、シャッタレリーズスイッチ２２が全押しされることによってＳ２オンの信号が出力されると、カメラ本体２００−１は、動画の記録を開始する動画記録モードになり、動画の画像処理及び記録処理を実行し、その後、シャッタレリーズスイッチ２２が再び全押しされることによってＳ２オンの信号が出力されると、カメラ本体２００−１は、スタンバイ状態になり、動画の記録処理を一時停止する。
【００９４】
尚、シャッタレリーズスイッチ２２は半押しと全押しとからなる２段ストローク式のスイッチの形態に限られず、1回の操作でＳ１オンの信号、Ｓ２オンの信号を出力しても良く、それぞれ個別のスイッチを設けてＳ１オンの信号、Ｓ２オンの信号を出力しても良い。
【００９５】
また、タッチ式パネル等により操作指示を行う形態では、これら操作手段としてタッチ式パネルの画面に表示される操作指示に対応する領域をタッチすることで操作指示を出力するようにしても良く、撮像準備処理や撮像処理を指示するものであれば操作手段の形態はこれらに限られない。
【００９６】
撮像により取得された静止画又は動画は、圧縮伸張処理部２０８により圧縮され、圧縮された画像データは、撮像日時、ＧＰＳ情報、撮像条件（Ｆ値、シャッタスピード、ＩＳＯ感度等）の所要の付属情報が、ヘッダに付加された画像ファイルとされた後、メディア制御部２１０を介してメモリカード２１２に格納される。
【００９７】
本体側ＣＰＵ２２０は、カメラ本体２００−１全体の動作及び交換レンズ１００−１の光学部材の駆動等を統括制御するもので、シャッタレリーズスイッチ２２を含む操作部２２２等からの入力に基づき、カメラ本体２００−１の各部及び交換レンズ１００−１を制御する。
【００９８】
時計部２２４は、タイマとして、本体側ＣＰＵ２２０からの指令に基づいて時間を計測する。また、時計部２２４は、カレンダとして、現在の年月日及び時刻を計測する。
【００９９】
フラッシュＲＯＭ２２６は、読み取り及び書き込みが可能な不揮発性メモリであり、設定情報を記憶する。
【０１００】
ＲＯＭ２２８には、本体側ＣＰＵ２２０が実行するカメラ制御プログラム（撮像装置の制御プログラム、ファインダ装置の制御プログラムを含む）、イメージセンサ２０１の欠陥情報、画像処理等に使用する各種のパラメータやテーブルが記憶されている。本体側ＣＰＵ２２０は、ＲＯＭ２２８に格納されたカメラ制御プログラムに従い、ＲＡＭ２０７を作業領域としながらカメラ本体２００−１の各部、及び交換レンズ１００−１を制御する。上記カメラ制御プログラム（撮像装置の制御プログラム、ファインダ装置の制御プログラムを含む）が格納される媒体は、ハードディスク、ＣＤ（Compact Disk）、ＤＶＤ（Digital Versatile Disk）、各種半導体メモリ等の、非一時的かつコンピュータ読取可能な記録媒体であってもよい。
【０１０１】
ＡＦ制御部２３０は、イメージセンサ２０１が、位相差画素が配置されたイメージセンサの場合、イメージセンサ２０１上の一対の位相差画素の各出力の位相ずれ量と、交換レンズ１００−１の現在のＦ値（光線角度）に対応する係数とを乗算することによりデフォーカス量を算出し、算出したデフォーカス量を本体側ＣＰＵ２２０に出力する。
【０１０２】
本体側ＣＰＵ２２０は、ＡＦ制御部２３０から入力したデフォーカス量を、通信によりレンズ側ＣＰＵ１２０に送信する。交換レンズ１００−１のレンズ駆動部１１６は、レンズ側ＣＰＵ１２０からの指令（デフォーカス量）に従ってフォーカスレンズを光軸方向のフォーカス位置（合焦位置）に移動させ、これにより自動的に焦点調節が行われる。
【０１０３】
また、ＡＦ制御部２３０は、イメージセンサ２０１が、位相差画素が配置されたイメージセンサでない場合、フォーカス枠２１８Ｂに対応するＡＦ領域内におけるＧ画素（Ｇのカラーフィルタを有する画素）のＧ信号から高周波成分を抽出し、抽出した高周波成分の絶対値の積分値（焦点評価値）を算出し、算出した焦点評価値が最大となる位置（即ち、コントラストが最大になる位置）を、フォーカス位置情報として本体側ＣＰＵ２２０に出力する。
【０１０４】
本体側ＣＰＵ２２０は、ＡＦ制御部２３０から入力したデフォーカス量を、通信によりレンズ側ＣＰＵ１２０に送信する。交換レンズ１００−１のレンズ駆動部１１６は、レンズ側ＣＰＵ１２０からの指令（フォーカス位置情報）に従ってフォーカスレンズを光軸方向のフォーカス位置（合焦位置）に移動させ、これにより自動的に焦点調節が行われる。
【０１０５】
明るさ検出部２３２は、被写体の明るさ（被写体輝度）を検出する部分であり、被写体輝度に対応するＡＥ制御及びＡＷＢ（Auto White Balance）制御に必要な数値（露出値（ＥＶ値（exposure value）））を算出する。明るさ検出部２３２は、イメージセンサ２０１を介して取得した画像の輝度、画像の輝度の取得時のシャッタスピード及びＦ値によりＥＶ値を算出する。
【０１０６】
本体側ＣＰＵ２２０は、明るさ検出部２３２から得たＥＶ値に基づいて所定のプログラム線図からＦ値、シャッタスピード及びＩＳＯ感度を決定し、ＡＥ制御を行うことができる。
【０１０７】
防振装置は、防振機構２０９、手ブレ検出部２３４、及びブレ制御部として機能する本体側ＣＰＵ２２０（又は専用のブレ制御部）から構成されている。
【０１０８】
手ブレ検出部２３４は、例えば、ジャイロセンサを含み、ジャイロセンサによりカメラ本体２００−１の左右方向（ヨー方向）及び上下方向（ピッチ方向）の角速度を検出し、検出した角速度を積分してカメラ本体２００−１のヨー方向及びピッチ方向のブレ角を示す角度信号（ヨー角信号及びピッチ角信号）をリアルタイムにブレ制御部に出力する。
【０１０９】
防振機構２０９は、イメージセンサ２０１を光軸方向と直交する平面内の左右方向(ｘ方向）及び上下方向(ｙ方向）にボイスコイルモータ等により移動させる。
【０１１０】
ブレ制御部は、ヨー角信号及びピッチ角信号に基づいてカメラ本体２００−１のヨー方向及びピッチ方向の手ブレに伴う像ブレを補正（相殺）すべく、防振機構２０９を介してイメージセンサ２０１をｘ方向及びｙ方向に移動させる。
【０１１１】
また、防振機構２０９等を含む防振装置は、ＯＬＥＤディスプレイ２１８の焼き付きを防止するための表示情報の移動に連動して、イメージセンサ２０１を移動させる撮像範囲移動制御部としても機能する。尚、撮像範囲移動制御部として機能する防振装置の制御については後述する。
【０１１２】
無線通信部２３６は、Wi-Fi（Wireless Fidelity）（登録商標）、Bluetooth（登録商標）等の規格の近距離無線通信を行う部分であり、周辺のデジタル機器（スマートフォン、等の携帯端末）との間で必要な情報の送受信を行う。
【０１１３】
ＧＰＳ受信部２３８は、本体側ＣＰＵ２２０の指示に従って、複数のＧＰＳ衛星から送信されるＧＰＳ信号を受信し、受信した複数のＧＰＳ信号に基づく測位演算処理を実行し、カメラ本体２００−１の緯度、経度、及び高度からなるＧＰＳ情報を取得する。取得されたＧＰＳ情報は、撮像された画像の撮像位置を示す付属情報として画像ファイルのヘッダに記録することができる。
【０１１４】
電源制御部２４０は、本体側ＣＰＵ２２０の指令に従って、バッテリ２４２から供給される電源電圧をカメラ本体２００−１の各部に与える。また、電源制御部２４０は、本体側ＣＰＵ２２０の指令に従って、本体マウント２４８及びレンズマウント１６０を介して、バッテリ２４２から供給される電源電圧を、交換レンズ１００−１の各部に与える。
【０１１５】
レンズ電源スイッチ２４４は、本体側ＣＰＵ２２０の指令に従って、本体マウント２４８及びレンズマウント１６０を介して交換レンズ１００−１に与える電源電圧のオン及びオフの切り替えとレベルの切り替えを行う。
【０１１６】
本体側通信部２４６は、本体側ＣＰＵ２２０の指令に従って、本体マウント２４８及びレンズマウント１６０を介して接続された交換レンズ１００−１のレンズ側通信部１５０との間で、リクエスト信号、回答信号の送受信（双方向通信）を行う。尚、本体マウント２４８には、図１に示すように複数の端子２４８Ａが設けられており、交換レンズ１００−１がカメラ本体２００−１に装着（レンズマウント１６０と本体マウント２４８とが接続）されると、本体マウント２４８に設けられた複数の端子２４８Ａ（図１）と、レンズマウント１６０に設けられた複数の端子（図示せず）とが電気的に接続され、本体側通信部２４６とレンズ側通信部１５０との間で双方向通信が可能になる。
【０１１７】
内蔵フラッシュ３０（図１）は、例えば、ＴＴＬ（Through The Lens)自動調光方式のフラッシュであり、フラッシュ発光部２５０と、フラッシュ制御部２５２とから構成されている。
【０１１８】
フラッシュ制御部２５２は、フラッシュ発光部２５０から発光するフラッシュ光の発光量（ガイドナンバー）を調整する機能を有する。即ち、フラッシュ制御部２５２は、本体側ＣＰＵ２２０からのフラッシュ撮像指示に同期してフラッシュ発光部２５０を発光させ、交換レンズ１００−１の撮像光学系１０２を介して入射する反射光（周囲光を含む）の測光を開始し、測光値が標準露出値に達すると、フラッシュ発光部２５０からのフラッシュ光の発光を停止させる。
【０１１９】
フォーカルプレーンシャッタ（ＦＰＳ：focal-plane shutter)２５４は、撮像装置１０のメカシャッタを構成し、イメージセンサ２０１の直前に配置される。ＦＰＳ制御部２５６は、本体側ＣＰＵ２２０からの入力情報（Ｓ２オン信号、シャッタスピード等）に基づいてＦＰＳ２５４の先幕、後幕の開閉を制御し、イメージセンサ２０１における露光時間（シャッタスピード）を制御する。
【０１２０】
［第１の実施形態］
次に、ＯＬＥＤディスプレイ２１８の焼き付けを防止する撮像装置の第１の実施形態について説明する。
【０１２１】
ハイブリッドビューファインダであるファインダ装置２６０−１（図３）を、ＯＶＦとして使用する場合、ＯＬＥＤディスプレイ２１８には、視野枠２１８Ａ及びフォーカス枠２１８Ｂ（図５）が表示される。尚、図５上では、視野枠２１８Ａ及びフォーカス枠２１８Ｂは、黒い太線で示されているが、実際には明るい白線として表示され、白線に対応するＯＬＥＤ素子は、発光輝度が高くなっており、長時間発光し続けると、焼き付きが発生する。
【０１２２】
視野枠２１８Ａは、イメージセンサ２０１による撮像範囲を示す指標であり、フォーカス枠２１８Ｂは、ＡＦ用の対象を特定する指標である。尚、フォーカス枠２１８Ｂは、焦点を合わせたい被写体の位置に応じて、ユーザ設定により任意の位置に移動させることができるが、視野枠２１８Ａは、一般に移動させず、ＯＬＥＤディスプレイ２１８の表示面上の規定位置に表示される。視野枠２１８Ａを移動させると、ユーザが視野枠２１８Ａで確認した撮像範囲と実際に撮像される範囲とがずれ、ユーザが意図した構図と異なる画像が撮像されることになるからである。
【０１２３】
ＯＬＥＤディスプレイ２１８の焼き付けを防止する撮像装置の第１の実施形態では、表示制御部２１４は、ＯＬＥＤディスプレイ２１８に表示させる視野枠２１８Ａ及びフォーカス枠２１８Ｂを、ＯＬＥＤディスプレイ２１８上で移動させる。
【０１２４】
図６は、図５に示した視野枠２１８Ａ及びフォーカス枠２１８Ｂを、図６上で右上方向に移動させた場合に関して示している。図６に示す視野枠２１８Ａ及びフォーカス枠２１８Ｂは、図５に示した視野枠２１８Ａ及びフォーカス枠２１８Ｂに対する移動量が分かるように大幅に移動させているが、例えば、視野枠２１８Ａ及びフォーカス枠２１８Ｂの枠線の線幅程度の範囲で移動させてもよい。また、視野枠２１８Ａ及びフォーカス枠２１８Ｂの移動方向も右上方向に限らず、例えば、上下左右方向の４方向、あるいは上下左右方向と斜め方向を含む８方向の複数の方向から適宜選択された方向に移動させることが好ましい。
【０１２５】
一方、視野枠２１８Ａ等をＯＬＥＤディスプレイ２１８上で移動させると、ユーザが意図した構図と異なる撮像範囲の画像が撮像されることになるため、撮像範囲移動制御部として機能する防振機構２０９等を含む防振装置は、ＯＬＥＤディスプレイ２１８上での視野枠２１８Ａ等の移動量に対応して、イメージセンサ２０１を撮像光学系１０２の光軸方向と直交する方向に移動させ、イメージセンサ２０１による撮像範囲を移動させる。
【０１２６】
また、手ブレが検出されない場合のイメージセンサ２０１の位置（基準位置）として、イメージセンサ２０１の中心が、撮像光学系１０２の光軸と一致する位置が設定されている場合、イメージセンサ２０１の基準位置を、ＯＬＥＤディスプレイ２１８上での視野枠２１８Ａ等の移動量に対応して移動させることで、イメージセンサ２０１による撮像範囲を移動させることができ、かつ防振装置としての機能も維持することができる。
【０１２７】
本例では、防振機構２０９等を含む防振装置が備えているイメージセンサ２０１を移動させる機能を利用して、イメージセンサ２０１を移動させるため、新たなハードウェアを追加することなくイメージセンサ２０１を移動させることができる。尚、防振機構２０９等を含む防振装置を備えていないカメラ本体の場合には、イメージセンサ２０１を撮像光学系１０２の光軸方向と直交する方向に移動させ、イメージセンサ２０１による撮像範囲を移動させるセンサ移動制御部を設ける必要がある。
【０１２８】
ＯＬＥＤディスプレイ２１８上での視野枠２１８Ａ等の移動と、この移動に対応するイメージセンサ２０１の移動とは、例えば、ユーザがＯＶＦを覗いていない一定の条件を満たす場合に行うことが好ましい。ユーザがＯＶＦを覗いているときに、視野枠２１８Ａ等を移動させると、ユーザが違和感を感じる場合があるからである。
【０１２９】
ユーザがＯＶＦを覗いていない一定の条件を満たす場合としては、ＯＬＥＤディスプレイ２１８の電源がＯＦＦからＯＮになった場合や各種のモードの切り換えが行われた場合が考えられる。例えば、ＯＬＥＤディスプレイ２１８の電源がＯＦＦからＯＮになる場合としては、電源レバー２５による電源投入時や、アイセンサ３２の検出出力に基づいてハイブリッドビューファインダ（ＯＬＥＤディスプレイ２１８）の表示がＯＦＦからＯＮになる場合が考えられる。また、各種のモードの切り換えが行われる場合としては、再生ボタン２９の操作による再生モード中にシャッタレリーズスイッチ２２の半押しにより撮影モードに切り換わった場合や、ビューモードボタン３４の操作によりアイセンサ３２の検出出力に基づいてハイブリッドビューファインダの表示と液晶モニタ２１６の表示を切り換えるモードと、ハイブリッドビューファインダを固定表示するモードと、液晶モニタ２１６を固定表示するモードとの間でモードが切り換わる場合が考えられる。
【０１３０】
また、手ブレ検出部２３４を備えているため、ユーザがＯＶＦを覗いている場合に発生する角度信号を超える角度信号が、手ブレ検出部２３４から出力される場合もユーザがＯＶＦを覗いていない一定の条件を満たし得る。
【０１３１】
更にユーザがＯＶＦを覗いていない一定の条件を満たす毎に、ＯＬＥＤディスプレイ２１８上での視野枠２１８Ａ等の移動と、この移動に対応するイメージセンサ２０１の移動とを、その移動量や移動方向を順次変えながら行うことが好ましい。例えば、右方向→上方向→左方向→下方向→右方向のように順番に移動させる方向を変えることが考えられる。
【０１３２】
第１の実施形態によれば、ＯＬＥＤディスプレイ２１８上での視野枠２１８Ａ等の移動に対応してイメージセンサ２０１を移動させ、イメージセンサ２０１による撮像範囲も同時に移動させるため、ユーザが移動後の視野枠２１８Ａにより確認する撮像範囲と実際に撮像される撮像範囲とを一致させることができる。また、ＯＬＥＤディスプレイ２１８に表示される視野枠２１８Ａ等の表示情報を移動させるため、視野枠２１８Ａ等の表示によるＯＬＥＤディスプレイ２１８の焼き付きを防止することができる。
【０１３３】
［第２の実施形態］
図７は、ＯＬＥＤディスプレイ２１８の焼き付けを防止する第２の実施形態の撮像装置の内部構成を示すブロック図である。尚、図４に示した撮像装置の内部構成と共通する部分には同一の符号を付し、その詳細な説明は省略する。
【０１３４】
図７に示す第２の実施形態は、カメラ本体２００−２には防振機構２０９及び手ブレ検出部２３４が設けられておらず、交換レンズ１００−２に防振機構１１７及び手ブレ検出部１７０が設けられている点で、第１の実施形態と相違する。
【０１３５】
第２の実施形態の防振装置は、防振機構１１７、手ブレ検出部１７０、及びブレ制御部として機能するレンズ側ＣＰＵ１２０（又は専用のブレ制御部）から構成されている。
【０１３６】
手ブレ検出部１７０は、手ブレ検出部２３４と同様にジャイロセンサを含み、ジャイロセンサにより交換レンズ１００−２の左右方向（ヨー方向）及び上下方向（ピッチ方向）の角速度を検出し、検出した角速度を積分して交換レンズ１００−２のヨー方向及びピッチ方向のブレ角を示す角度信号（ヨー角信号及びピッチ角信号）をリアルタイムにブレ制御部に出力する。
【０１３７】
防振機構１１７は、フォーカスレンズ１０５及びブレ補正レンズ１０６を含むレンズ群１０７のうちのブレ補正レンズ１０６を、撮像光学系１０２の光軸方向と直交する平面内の左右方向(ｘ方向）及び上下方向(ｙ方向）にボイスコイルモータ等により移動させる。
【０１３８】
ブレ制御部は、ヨー角信号及びピッチ角信号に基づいて交換レンズ１００−２のヨー方向及びピッチ方向の手ブレに伴う像ブレを補正（相殺）すべく、防振機構１１７を介してブレ補正レンズ１０６をｘ方向及びｙ方向に移動させる。
【０１３９】
また、ブレ補正レンズ１０６及び防振機構１１７を含む防振装置は、ＯＬＥＤディスプレイ２１８の焼き付きを防止するための表示情報の移動に連動して、ブレ補正レンズ１０６を移動させる撮像範囲移動制御部としても機能する。
【０１４０】
ＯＬＥＤディスプレイ２１８の焼き付けを防止する撮像装置の第１の実施形態では、表示制御部２１４は、ＯＬＥＤディスプレイ２１８に表示させる視野枠２１８Ａ及びフォーカス枠２１８Ｂを、ＯＬＥＤディスプレイ２１８上で移動させる（図５、図６）。
【０１４１】
一方、視野枠２１８Ａ等をＯＬＥＤディスプレイ２１８上で移動させると、ユーザが意図した構図と異なる撮像範囲の画像が撮像されることになるため、撮像範囲移動制御部として機能するブレ補正レンズ１０６及び防振機構１１７等を含む防振装置は、ＯＬＥＤディスプレイ２１８上での視野枠２１８Ａ等の移動量に対応して、ブレ補正レンズ１０６を撮像光学系１０２の光軸方向と直交する方向に移動させ、その結果、イメージセンサ２０１による撮像範囲を移動させる。
【０１４２】
また、手ブレが検出されない場合のブレ補正レンズ１０６の位置（基準位置）として、ブレ補正レンズ１０６の中心が、撮像光学系１０２の光軸と一致する位置が設定されている場合、ブレ補正レンズ１０６の基準位置を、ＯＬＥＤディスプレイ２１８上での視野枠２１８Ａ等の移動量に対応して移動させることで、イメージセンサ２０１による撮像範囲を移動させることができ、かつ防振装置としての機能も維持することができる。
【０１４３】
本例では、防振装置が備えているブレ補正レンズ１０６（撮像光学系の少なくとも一部の光学部材）を移動させる防振装置の機能を利用して、ブレ補正レンズ１０６を移動させるため、新たなハードウェアを追加することなくイメージセンサ２０１による撮像範囲を移動させることができる。尚、ブレ補正レンズ１０６等を含む防振装置を備えていない交換レンズの場合には、撮像光学系の少なくとも一部の光学部材を撮像光学系１０２の光軸方向と直交する方向に移動させ、イメージセンサ２０１による撮像範囲を移動させる光学部材移動制御部を設ける必要がある。
【０１４４】
第２の実施形態によれば、ＯＬＥＤディスプレイ２１８上での視野枠２１８Ａ等の移動に対応してブレ補正レンズ１０６を移動させ、イメージセンサ２０１による撮像範囲も同時に移動させるため、ユーザが移動後の視野枠２１８Ａにより確認する撮像範囲と実際に撮像される撮像範囲とを一致させることができる。また、ＯＬＥＤディスプレイ２１８に表示される視野枠２１８Ａ等の表示情報を移動させるため、視野枠２１８Ａ等の表示によるＯＬＥＤディスプレイ２１８の焼き付きを防止することができる。
【０１４５】
［第３の実施形態］
図８は、ＯＬＥＤディスプレイ２１８の焼き付けを防止する第３の実施形態を説明するために用いたイメージセンサ２０１の正面図である。
【０１４６】
図８において、破線で示した円は、撮像光学系１０２により被写体像がイメージセンサ２０１上に結像するイメージサークルであり、このイメージサークル内にイメージセンサ２０１の有効画素領域２０１Ａが存在する。尚、有効画素領域２０１Ａ内の画素は、撮像に使用可能な画素である。
【０１４７】
また、有効画素領域２０１Ａの内側に、実際に記録される撮像画像の撮像画素領域２０１Ｂが存在する。撮像画素領域２０１Ｂの全ての画素を使用した撮像画像の記録画素数が、最大の画像サイズ（例えば、4896×3264）になる。一般に有効画素領域２０１Ａは、撮像画素領域２０１Ｂよりも大きく、撮像に使用されていない余裕部分が存在する。
【０１４８】
第３の実施形態では、画像切り出し部（本体側ＣＰＵ２２０により制御されるイメージセンサ制御部２０２）が、イメージセンサ２０１の有効画素領域２０１Ａから切り出す撮像画素領域２０１Ｂの切り出し位置を制御し、イメージセンサ２０１による撮像範囲を移動させる。
【０１４９】
図８において、破線で示した枠は、撮像画素領域２０１Ｂの切り出し範囲を右上方向に移動させた撮像画素領域を示している。
【０１５０】
ＯＬＥＤディスプレイ２１８の焼き付けを防止する撮像装置の第３の実施形態では、表示制御部２１４は、ＯＬＥＤディスプレイ２１８に表示させる視野枠２１８Ａ及びフォーカス枠２１８Ｂを、ＯＬＥＤディスプレイ２１８上で移動させる（図５、図６）。
【０１５１】
一方、視野枠２１８Ａ等をＯＬＥＤディスプレイ２１８上で移動させると、ユーザが意図した構図と異なる撮像範囲の画像が撮像されることになるため、撮像範囲移動制御部として機能する画像切り出し部は、ＯＬＥＤディスプレイ２１８上での視野枠２１８Ａ等の移動量に対応して、イメージセンサ２０１の有効画素領域２０１Ａから切り出す撮像画素領域２０１Ｂの切り出し位置を制御し、イメージセンサ２０１による撮像範囲を移動させる。
【０１５２】
第３の実施形態によれば、ＯＬＥＤディスプレイ２１８上での視野枠２１８Ａ等の移動に対応してイメージセンサ２０１の有効画素領域２０１Ａから切り出す撮像画素領域２０１Ｂの切り出し位置を制御し、イメージセンサ２０１による撮像範囲も同時に移動させるため、ユーザが移動後の視野枠２１８Ａにより確認する撮像範囲と実際の記録される画像の撮像範囲とを一致させることができる。また、ＯＬＥＤディスプレイ２１８に表示される視野枠２１８Ａ等の表示情報を移動させるため、視野枠２１８Ａ等の表示によるＯＬＥＤディスプレイ２１８の焼き付きを防止することができる。
【０１５３】
更に、画像切り出し部による切り出し位置によりイメージセンサ２０１による撮像範囲を移動させるため、ハードウェアを追加することなくイメージセンサ２０１による撮像範囲を移動させることができる。
【０１５４】
［第４の実施形態］
図９は、カメラ本体２００−１に内蔵された第２の実施形態のファインダ装置２６０−２を示す概略構成図であり、特にファインダ装置２６０−２は、ＯＬＥＤディスプレイ２１８の焼き付けを防止する第４の実施形態に対応するものである。尚、図３に示した第１の実施形態のファインダ装置２６０−１と共通する部分には同一の符号を付し、その詳細な説明は省略する。
【０１５５】
図９に示す第２の実施形態のファインダ装置２６０−２は、主としてディスプレイ駆動部２１９を備える点で、第１の実施形態のファインダ装置２６０−１と相違する。
【０１５６】
ディスプレイ駆動部２１９は、ＯＬＥＤディスプレイ２１８の表示面と同一の平面内でＯＬＥＤディスプレイ２１８を移動させる表示デバイス移動制御部として機能する。このディスプレイ駆動部２１９によりＯＬＥＤディスプレイ２１８を、その表示面と同一の平面内で移動させることにより、ＯＶＦにより視認されるＯＬＥＤディスプレイ２１８に表示される視野枠２１８Ａ等の表示情報を、被写体の光学像に対して移動させることができる。
【０１５７】
ＯＬＥＤディスプレイ２１８の焼き付けを防止する撮像装置（ファインダ装置）の第４の実施形態では、ディスプレイ駆動部２１９によりＯＬＥＤディスプレイ２１８を、その表示面と同一の平面内で移動させる。
【０１５８】
一方、ＯＬＥＤディスプレイ２１８の移動によりＯＶＦにより観察される視野枠２１８Ａ等が移動すると、ユーザが意図した構図と異なる撮像範囲の画像が撮像されることになるため、表示制御部２１４は、ＯＬＥＤディスプレイ２１８に表示させる視野枠２１８Ａ等の表示情報を、ＯＬＥＤディスプレイ２１８の移動に対応してＯＬＥＤディスプレイ２１８上で移動させ、ＯＬＥＤディスプレイ２１８の移動による表示情報の移動を相殺する。
【０１５９】
ＯＬＥＤディスプレイ２１８の移動により、例えば、図１０に示すようにＯＶＦ画面２６０Ａ内で視野枠２１８Ａ等の表示情報を一点鎖線で示すように移動させ、この表示情報の移動を相殺すべく、表示制御部２１４によりＯＬＥＤディスプレイ２１８に表示させる視野枠２１８Ａ等を移動させる。その結果、視野枠２１８Ａ等の表示情報は、ＯＶＦ画面２６０Ａ上で移動せず、実線で示す位置に保持されることになる。
【０１６０】
第４の実施形態によれば、ＯＬＥＤディスプレイ２１８に表示される視野枠２１８Ａ等の表示情報を移動させても、その表示情報をＯＶＦ画面２６０Ａ上で移動しないようにすること（固定すること）ができ、ユーザが視野枠２１８Ａにより確認する撮像範囲と実際の記録される画像の撮像範囲とを一致させることができる。また、ＯＬＥＤディスプレイ２１８に表示される視野枠２１８Ａ等の表示情報を移動させるため、視野枠２１８Ａ等の表示によるＯＬＥＤディスプレイ２１８の焼き付きを防止することができる。
【０１６１】
尚、ＯＬＥＤディスプレイ２１８の平面内での移動と、ＯＬＥＤディスプレイ２１８に表示される視野枠２１８Ａ等の表示情報の移動とは同時に行うことが好ましく、この場合、どのタイミングで移動させても、視野枠２１８Ａ等の表示情報はＯＶＦ画面２６０Ａ上で移動しないため、違和感を感じることはない。
【０１６２】
［第５の実施形態］
図１１は、カメラ本体２００−１に内蔵された第３の実施形態のファインダ装置２６０−３を示す概略構成図であり、特にファインダ装置２６０−３は、ＯＬＥＤディスプレイ２１８の焼き付けを防止する第５の実施形態に対応するものである。尚、図３に示した第１の実施形態のファインダ装置２６０−１と共通する部分には同一の符号を付し、その詳細な説明は省略する。
【０１６３】
図１１に示す第３の実施形態のファインダ装置２６０−３は、主としてレンズ駆動部２６９を備える点で、第１の実施形態のファインダ装置２６０−１と相違する。
【０１６４】
レンズ駆動部２６９は、ターゲットレンズ２６８を、ターゲットレンズ２６８の光軸方向に移動させる光学倍率制御部として機能する。即ち、レンズ駆動部２６９によりターゲットレンズ２６８をその光軸方向に移動させることにより、ＯＶＦにより視認されるＯＬＥＤディスプレイ２１８に表示される視野枠２１８Ａ等の表示情報の光学倍率を変化させることができ、視野枠２１８Ａ等の表示情報を拡大又は縮小させることができる。
【０１６５】
ＯＬＥＤディスプレイ２１８の焼き付けを防止する撮像装置（ファインダ装置）の第５の実施形態では、レンズ駆動部２６９によるターゲットレンズ２６８の移動によりＯＬＥＤディスプレイ２１８に表示される視野枠２１８Ａ等の表示情報の光学倍率を変化させる。
【０１６６】
一方、ターゲットレンズ２６８の移動により光学倍率が変化し、ＯＶＦにより観察される視野枠２１８Ａ等が拡縮すると、ユーザが意図した構図と異なる撮像範囲の画像が撮像されることになるため、表示倍率制御部として機能する表示制御部２１４は、ＯＬＥＤディスプレイ２１８に表示させる視野枠２１８Ａ等の表示情報の表示倍率を変化させ、表示情報の光学倍率の変化を相殺する。
【０１６７】
ターゲットレンズ２６８の移動により、例えば、図１２に示すようにＯＶＦ画面２６０Ａ内で視野枠２１８Ａ等の表示情報を一点鎖線で示すように拡大させ、この表示情報の拡大を相殺すべく、表示制御部２１４によりＯＬＥＤディスプレイ２１８に表示させる視野枠２１８Ａ等を縮小表示させる。その結果、視野枠２１８Ａ等の表示情報は、ＯＶＦ画面２６０Ａ上で移動せず、実線で示す位置に保持されることになる。
【０１６８】
第５の実施形態によれば、ＯＬＥＤディスプレイ２１８に表示される視野枠２１８Ａ等の表示情報を移動（拡縮）させても、その表示情報をＯＶＦ画面２６０Ａ上で移動しないようにすること（固定すること）ができ、ユーザが視野枠２１８Ａにより確認する撮像範囲と実際の記録される画像の撮像範囲とを一致させることができる。また、ＯＬＥＤディスプレイ２１８に表示される視野枠２１８Ａ等の表示情報を拡縮させるため、視野枠２１８Ａ等の表示によるＯＬＥＤディスプレイ２１８の焼き付きを防止することができる。
【０１６９】
尚、第５の実施形態では、ターゲットレンズ２６８を光軸方向に移動させて光学倍率を変更するようにしたが、これに限らず、ＯＬＥＤディスプレイ２１８をターゲットレンズ２６８の光軸方向に移動させて光学倍率を変更するようにしてもよい。
【０１７０】
また、ターゲットレンズ２６８の光軸方向の移動と、ＯＬＥＤディスプレイ２１８に表示される視野枠２１８Ａ等の表示情報の拡縮とは同時に行うことが好ましく、この場合、どのタイミングで移動させても、ＯＶＦ画面２６０Ａ上で視野枠２１８Ａ等の表示情報は移動しないため、違和感を感じることはない。
【０１７１】
［撮像装置の制御方法］
図１３は、本発明に係る撮像装置の制御方法の実施形態を示すフローチャートである。
【０１７２】
図１３において、本体側ＣＰＵ２２０は、ＲＯＭ２２８等に記憶された撮像装置の制御プログラムを実行し、ＯＬＥＤディスプレイ２１８の電源がＯＦＦからＯＮに切り換わったか否かを判別する（ステップＳ１０）。例えば、電源レバー２５による電源が投入された場合、又はアイセンサ３２の検出出力に基づいてＯＬＥＤディスプレイ２１８の表示がＯＦＦからＯＮに切り換わった場合に、ＯＬＥＤディスプレイ２１８の電源がＯＦＦからＯＮに切り換わったと判別することができる。
【０１７３】
ＯＬＥＤディスプレイ２１８の電源がＯＦＦからＯＮに切り換わっていないと判別すると（「No」の場合）、本体側ＣＰＵ２２０は、ステップＳ１２に遷移し、ここで各種のモードの切り換えが行われたか否かを判別する。例えば、再生モードから撮影モードに切り換わった場合や、ビューモードボタン３４の操作によりモードの遷移があった場合にモードが切り換わったと判別することができる。
【０１７４】
ステップＳ１２によりモードの切り換えが行われたと判別されると（「Yes」の場合）、ステップＳ１４に遷移し、モードの切り換えが行われていないと判別されると（「No」の場合）、ステップＳ１０に戻る。
【０１７５】
ステップＳ１４に遷移すると、表示制御部２１４は、撮像装置の制御プログラムにしたがってＯＬＥＤディスプレイ２１８に表示させる視野枠２１８Ａ及びフォーカス枠２１８Ｂを、ＯＬＥＤディスプレイ２１８上で移動させる。これにより、視野枠２１８Ａ等が同一の位置に表示され続けることによるＯＬＥＤディスプレイ２１８の焼き付きを防止することができる。
【０１７６】
続いて、撮像範囲移動制御部は、撮像装置の制御プログラムにしたがってステップＳ１４における表示制御部２１４によるＯＬＥＤディスプレイ２１８上での視野枠２１８Ａ等の移動量に対応して、イメージセンサ２０１による撮像範囲を移動させ、その後、ステップＳ１０に遷移させる（ステップＳ１６）。
【０１７７】
そして、ステップＳ１０からＳ１６を繰り返すことで、ＯＬＥＤディスプレイ２１８に表示させる視野枠２１８Ａ等の表示情報の移動及びイメージセンサ２０１による撮像範囲の移動を、それぞれ移動量（移動方向を含む）を変化させて繰り返し実行する。
【０１７８】
ここで、撮像範囲移動制御部としては、イメージセンサ２０１自体を撮像光学系１０２の光軸方向と直交する方向に移動させるセンサ移動制御部、又は撮像光学系１０２の少なくとも一部の光学部材（本例では、防振装置のブレ補正レンズ１０６）を撮像光学系１０２の光軸方向と直交する方向に移動させる光学部材移動制御部、又はイメージセンサ２０１の有効画素領域から切り出す撮像画素領域の切り出し位置を制御することでイメージセンサ２０１による撮像範囲を移動させる画像切り出し部を使用することができる。
【０１７９】
上記のようにＯＬＥＤディスプレイ２１８の電源がＯＦＦからＯＮに切り換わった場合、あるいはモードが切り換わった場合は、切り換わる毎にＯＬＥＤディスプレイ２１８上での視野枠２１８Ａ等を移動させるとともに、イメージセンサ２０１による撮像範囲を移動させることができる。これにより、視野枠２１８Ａ等の表示によるＯＬＥＤディスプレイ２１８の焼き付きを防止し、かつ移動後の視野枠２１８Ａにより確認可能な撮像範囲と実際に撮像される撮像範囲とを一致させることができる。
【０１８０】
尚、ＯＬＥＤディスプレイ２１８の電源がＯＦＦからＯＮに切り換わった場合、あるいはモードが切り換わった場合は、ユーザがＯＶＦを覗いていない場合の特定のタイミングの一例であるが、ＯＬＥＤディスプレイ２１８上での視野枠２１８Ａ等を移動させるタイミングは、これに限定されない。
【０１８１】
［ファインダ装置の制御方法］
図１４は、本発明に係るファインダの制御方法の第１の実施形態を示すフローチャートである。尚、図１３に示したフローチャートと共通する部分には同一のステップ番号を付し、その詳細な説明は省略する。
【０１８２】
図１４において、ディスプレイ駆動部２１９（図９）は、ＲＯＭ２２８等に記憶されたファインダ装置の制御プログラムにしたがってＯＬＥＤディスプレイ２１８の表示面と同一の平面内でＯＬＥＤディスプレイ２１８を移動させる（ステップＳ２０）。
【０１８３】
続いて、表示制御部２１４は、ファインダ装置の制御プログラムにしたがってＯＬＥＤディスプレイ２１８に表示させる視野枠２１８Ａ等の表示情報を、ＯＬＥＤディスプレイ２１８の移動に対応してＯＬＥＤディスプレイ２１８上で移動させ（ＯＬＥＤディスプレイ２１８の移動を相殺するように移動させ）、ステップＳ１０に遷移させる（ステップＳ２２）。
【０１８４】
そして、ステップＳ１０からＳ２２を繰り返すことで、ＯＬＥＤディスプレイ２１８に表示させる視野枠２１８Ａ等の表示情報の移動及びＯＬＥＤディスプレイ２１８の移動を、それぞれ移動量を変化させて繰り返し実行する。
【０１８５】
これにより、視野枠２１８Ａ等の表示によるＯＬＥＤディスプレイ２１８の焼き付きを防止し、かつ視野枠２１８Ａ等の表示情報がＯＶＦ画面２６０Ａ上で移動しないようにすることができる。
【０１８６】
尚、視野枠２１８Ａ等の表示情報はＯＶＦ画面２６０Ａ上で移動しないため、ステップＳ２０及びＳ２２による移動は、任意のタイミング（例えば、一定時間ごと）で行うようにしてもよい。
【０１８７】
図１５は、本発明に係るファインダの制御方法の第２の実施形態を示すフローチャートである。尚、図１３に示したフローチャートと共通する部分には同一のステップ番号を付し、その詳細な説明は省略する。
【０１８８】
図１５において、レンズ駆動部２６９（図１１）は、ファインダ装置の制御プログラムにしたがって表示用光学系であるターゲットレンズ２６８を、ターゲットレンズ２６８の光軸方向に移動させ、これによりＯＬＥＤディスプレイ２１８に表示される視野枠２１８Ａ等の表示情報の光学倍率を変化させる（ステップＳ３０）。
【０１８９】
続いて、表示制御部２１４は、ファインダ装置の制御プログラムにしたがってＯＬＥＤディスプレイ２１８に表示させる視野枠２１８Ａ等の表示情報を、ターゲットレンズ２６８の移動による光学倍率の変化に対応してＯＬＥＤディスプレイ２１８上で拡縮し（光学倍率の変化を相殺するように表示倍率を変化させ）、ステップＳ１０に遷移させる（ステップＳ３２）。
【０１９０】
そして、ステップＳ１０からＳ３２を繰り返すことで、ＯＬＥＤディスプレイ２１８に表示させる視野枠２１８Ａ等の表示情報の光学倍率及び表示倍率を、それぞれ倍率を変化させて繰り返し実行する。
【０１９１】
これにより、視野枠２１８Ａ等の表示によるＯＬＥＤディスプレイ２１８の焼き付きを防止し、かつ視野枠２１８Ａ等の表示情報がＯＶＦ画面２６０Ａ上で移動しないようにすることができる。
【０１９２】
［撮像装置の他の実施形態］
図１６は、本発明が適用可能な一眼レフカメラ（撮像装置１０−２）の概略構成図であり、特に一眼レフレックス光学系に関して示している。
【０１９３】
撮像装置１０−２のカメラ本体２００−３には、交換レンズ１００−１が着脱可能である。
【０１９４】
図１６に示す一眼レフレックス光学系は、クイックリターンミラー２８０、焦点板２８２、ペンタプリズム２８４、及び接眼レンズ２６６からなる公知のファインダ光学系を有するとともに、ペンタプリズム２８４と接眼レンズ２６６との間にビームスプリッタ２６４が配置されている。
【０１９５】
ビームスプリッタ２６４の一方の入射面には、一眼レフ型のＯＶＦで観察される被写体の光学像が入射し、他方の入射面には、ＯＬＥＤディスプレイ２１８により表示される表示情報が、ターゲットレンズ２６８及び反射ミラー２７２を介して入射する。
【０１９６】
ビームスプリッタ２６４は、被写体の光学像にＯＬＥＤディスプレイ２１８に表示される表示情報を重畳して接眼レンズ２６６に導く。
【０１９７】
また、クイックリターンミラー２８０の後方には、ＦＰＳ２５４及びイメージセンサ２０１が配置されている。
【０１９８】
そして、前述した本発明の各実施形態は、上記構成の一眼レフ型の撮像装置１０−２においても適用可能である。例えば、第１の実施形態を適用する場合には、ＯＬＥＤディスプレイ２１８に表示される表示情報を移動させるとともに、表示情報の移動に対応してイメージセンサ２０１を移動させ、ＯＬＥＤディスプレイ２１８の焼き付きを防止し、かつＯＶＦにより確認可能な撮像範囲と実際に撮像される撮像範囲とを一致させる。
【０１９９】
［その他］
図９に示した第２の実施形態のファインダ装置２６０−２、及び図１１に示した第３の実施形態のファインダ装置２６０−３は、それぞれファインダ装置だけで完結することができるため、カメラ本体に組み込まれるものに限らず、ホットシュー３１に装着される外付け用のファインダ装置でもよい。
【０２００】
また、本実施形態の撮像装置は、交換レンズとカメラ本体とからなるミラーレスのデジタル一眼カメラ又は一眼レフカメラであるが、撮像光学系がカメラ本体と一体化された撮像装置でもよい。
【０２０１】
更に、本発明が適用される表示デバイスは、ＯＬＥＤディスプレイに限らず、焼き付きの問題が発生する他の表示デバイス（例えば、自発光デバイス）にも適用することができる。
【０２０２】
更に、図３等に示したファインダ装置２６０−１は、逆ガリレオ式のＯＶＦであるが、これに限らず、例えば、実像式光学ファインタ等の他の構成のＯＶＦでもよい。
【０２０３】
また、本実施形態において、例えば、表示制御部２１４、本体側ＣＰＵ２２０、及びレンズ側ＣＰＵ１２０等の各種の処理を実行する処理部（processing unit）のハードウェア的な構造は、次に示すような各種のプロセッサ（processor）である。各種のプロセッサには、ソフトウェア（プログラム）を実行して各種の処理部として機能する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【０２０４】
１つの処理部は、これら各種のプロセッサのうちの１つで構成されていてもよいし、同種または異種の２つ以上のプロセッサ（例えば、複数のＦＰＧＡ、あるいはＣＰＵとＦＰＧＡの組み合わせ）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウェアの組合せで１つのプロセッサを構成し、このプロセッサが複数の処理部として機能する形態がある。第２に、システムオンチップ（System On Chip：ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０２０５】
更に、これらの各種のプロセッサのハードウェア的な構造は、より具体的には、半導体素子などの回路素子を組み合わせた電気回路（circuitry）である。
【０２０６】
また、本発明は、プロセッサを有する撮像装置であって、プロセッサが、表示デバイスの規定位置に表示される表示情報を、表示デバイス上で移動させ、表示デバイス上で移動する表示情報の移動量に対応してイメージセンサによる撮像範囲を移動させるものを含む。
【０２０７】
また、本発明は上述した実施形態に限定されず、本発明の精神を逸脱しない範囲で種々の変形が可能であることは言うまでもない。
【符号の説明】
【０２０８】
１０、１０−２  撮像装置
２０  対物窓
２１  ファインダ切換レバー
２２  シャッタレリーズスイッチ
２３  シャッタスピードダイヤル
２４  露出補正ダイヤル
２５  電源レバー
２６  接眼窓
２７  ＭＥＮＵ／ＯＫキー
２８  十字キー
２９  再生ボタン
３０  内蔵フラッシュ
３１  ホットシュー
３２  アイセンサ
３４  ビューモードボタン
１００−１、１００−２  交換レンズ
１０２  撮像光学系
１０４、１０７  レンズ群
１０６  ブレ補正レンズ
１０８  絞り
１１６、２６９  レンズ駆動部
１１７、２０９  防振機構
１１８  絞り制御部
１２０  レンズ側ＣＰＵ
１２２  ＲＡＭ
１２４  ＲＯＭ
１２６  フラッシュＲＯＭ
１５０  レンズ側通信部
１７０、２３４  手ブレ検出部
２００−１、２００−２、２００−３  カメラ本体
２０１  イメージセンサ
２０２  イメージセンサ制御部
２０３  アナログ信号処理部
２０４  Ａ／Ｄ変換器
２０５  画像入力コントローラ
２０６  デジタル信号処理部
２０７  ＲＡＭ
２０８  圧縮伸張処理部
２１０  メディア制御部
２１２  メモリカード
２１４  表示制御部
２１６  液晶モニタ
２１８  ＯＬＥＤディスプレイ
２１９  ディスプレイ駆動部
２２０  本体側ＣＰＵ
２２２  操作部
２２４  時計部
２２６  フラッシュＲＯＭ
２２８  ＲＯＭ
２３０  ＡＦ制御部
２３２  明るさ検出部
２３４  手ブレ検出部
２３６  無線通信部
２３８  ＧＰＳ受信部
２４０  電源制御部
２４２  バッテリ
２４４  レンズ電源スイッチ
２４６  本体側通信部
２４８  本体マウント
２５０  フラッシュ発光部
２５２  フラッシュ制御部
２５６  ＦＰＳ制御部
２６２  対物レンズ
２６４  ビームスプリッタ
２６６  接眼レンズ
２６８  ターゲットレンズ
２７０  シャッタ
２７２  反射ミラー
２８０  クイックリターンミラー
２８２  焦点板
２８４  ペンタプリズム
Ｓ１０〜Ｓ３２  ステップ
【図１】
2019087928.tif 000003
【図２】
2019087928.tif 000004
【図３】
2019087928.tif 000005
【図４】
2019087928.tif 000006
【図５】
2019087928.tif 000007
【図６】
2019087928.tif 000008
【図７】
2019087928.tif 000009
【図８】
2019087928.tif 000010
【図９】
2019087928.tif 000011
【図１０】
2019087928.tif 000012
【図１１】
2019087928.tif 000013
【図１２】
2019087928.tif 000014
【図１３】
2019087928.tif 000015
【図１４】
2019087928.tif 000016
【図１５】
2019087928.tif 000017
【図１６】
2019087928.tif 000018
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
被写体の光学像を観察する光学ファインダと、
表示デバイスと、
前記光学ファインダの光路中に配置され、前記光学ファインダで観察される前記被写体の前記光学像と前記表示デバイスに表示される表示情報とを重畳させる光学素子と、
撮像光学系を介して前記被写体の光学像が結像されるイメージセンサと、
前記表示デバイスの規定位置に表示される前記表示情報を、前記表示デバイス上でそれぞれ移動量を変化させて繰り返し移動させる表示制御部と、
前記表示デバイス上で繰り返し移動する前記表示情報の移動量に対応して前記イメージセンサによる撮像範囲を繰り返し移動させる撮像範囲移動制御部と、
を備えた撮像装置。
【請求項２】
前記撮像範囲移動制御部は、前記表示デバイス上で移動する前記表示情報の移動量に対応して、前記イメージセンサを前記撮像光学系の光軸方向と直交する方向に移動させ、前記イメージセンサによる撮像範囲を移動させるセンサ移動制御部である請求項１に記載の撮像装置。
【請求項３】
像ブレを補正する防振装置を備え、
前記防振装置は、前記センサ移動制御部を含む請求項２に記載の撮像装置。
【請求項４】
前記撮像範囲移動制御部は、前記表示デバイス上で移動する前記表示情報の移動量に対応して、前記撮像光学系の少なくとも一部の光学部材を前記撮像光学系の光軸方向と直交する方向に移動させ、前記イメージセンサによる撮像範囲を移動させる光学部材移動制御部である請求項１に記載の撮像装置。
【請求項５】
像ブレを補正する防振装置を備え、
前記防振装置は、前記光学部材移動制御部を含む請求項４に記載の撮像装置。
【請求項６】
前記撮像範囲移動制御部は、前記表示デバイス上で移動する前記表示情報の移動量に対応して、前記イメージセンサの有効画素領域から切り出す撮像画素領域の切り出し位置を制御し、前記イメージセンサによる撮像範囲を移動させる画像切り出し部である請求項１に記載の撮像装置。
【請求項７】
前記表示デバイスの規定位置に表示される前記表示情報は、視野枠及びフォーカス枠のうちの少なくとも一方を含む請求項１から６のいずれか１項に記載の撮像装置。
【請求項８】
（削除）
【請求項９】
被写体の光学像を観察する光学ファインダと、
表示デバイスと、
前記光学ファインダの光路中に配置され、前記光学ファインダで観察される前記被写体の前記光学像と前記表示デバイスに表示される表示情報とを重畳させる光学素子と、
前記表示デバイスと前記光学素子との間に配置された表示用光学系と、
前記表示デバイス又は前記表示用光学系を前記表示用光学系の光軸方向に移動させ、前記光学ファインダの接眼部により視認される前記表示情報の光学倍率を変化させる光学倍率制御部と、
前記表示デバイスに表示される前記表示情報の表示倍率を変化させ、前記表示情報の前記光学倍率の変化を相殺する表示倍率制御部と、
を備えたファインダ装置。
【請求項１０】
前記表示デバイスの規定位置に表示される前記表示情報は、視野枠及びフォーカス枠のうちの少なくとも一方を含む請求項９に記載のファインダ装置。
【請求項１１】
請求項９又は１０に記載のファインダ装置を備えた撮像装置。
【請求項１２】
前記表示デバイスは、自発光表示デバイスである請求項１から７及び１１のいずれか１項に記載の撮像装置。
【請求項１３】
前記光学ファインダは、撮像光学系から独立したファインダ光学系である請求項１から７、１１、及び１２のいずれか１項に記載の撮像装置。
【請求項１４】
前記光学ファインダは、撮像光学系を通過した被写体の光学像を接眼部により観察する一眼レフレックス光学系である請求項１から７、１１、及び１２のいずれか１項に記載の撮像装置。
【請求項１５】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、撮像光学系を介して前記被写体の光学像が結像されるイメージセンサと、を備えた撮像装置の制御方法であって、
前記表示デバイスの規定位置に表示される前記表示情報を、前記表示デバイス上で移動させるステップと、
前記表示デバイス上で移動する前記表示情報に対応して前記イメージセンサによる撮像範囲を移動させるステップと、
前記表示デバイス上の前記表示情報の移動及び前記撮像範囲の移動を、それぞれ移動量を変化させて繰り返し実行するステップと、
を含む撮像装置の制御方法。
【請求項１６】
（削除）
【請求項１７】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、前記表示デバイスと前記光学素子との間に配置された表示用光学系と、を備えたファインダ装置の制御方法であって、
前記表示デバイス又は前記表示用光学系を前記表示用光学系の光軸方向に移動させ、前記光学ファインダの接眼部により視認される前記表示情報の光学倍率を変化させるステップと、
前記表示デバイスに表示される前記表示情報の表示倍率を変化させ、前記表示情報の前記光学倍率の変化を相殺するステップと、
前記表示情報の光学倍率及び前記表示情報の表示倍率を、それぞれ倍率を変化させて繰り返し実行するステップと、
を含むファインダ装置の制御方法。
【請求項１８】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、撮像光学系を介して前記被写体の光学像が結像されるイメージセンサと、を備えた撮像装置の制御プログラムであって、
前記表示デバイスの規定位置に表示される前記表示情報を、前記表示デバイス上で移動させる機能と、
前記表示デバイス上で移動する前記表示情報に対応して前記イメージセンサによる撮像範囲を移動させる機能と、
前記表示デバイス上の前記表示情報の移動及び前記撮像範囲の移動を、それぞれ移動量を変化させて繰り返し実行する機能と、
を前記撮像装置に実行させる撮像装置の制御プログラム。
【請求項１９】
（削除）
【請求項２０】
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、前記表示デバイスと前記光学素子との間に配置された表示用光学系と、を備えたファインダ装置の制御プログラムであって、
前記表示デバイス又は前記表示用光学系を前記表示用光学系の光軸方向に移動させ、前記光学ファインダの接眼部により視認される前記表示情報の光学倍率を変化させる機能と、
前記表示デバイスに表示される前記表示情報の表示倍率を変化させ、前記表示情報の前記光学倍率の変化を相殺する機能と、
前記表示情報の光学倍率及び前記表示情報の表示倍率を、それぞれ倍率を変化させて繰り返し実行する機能と、
を前記ファインダ装置に実行させるファインダ装置の制御プログラム。
【請求項２１】
非一時的かつコンピュータ読取可能な記録媒体であって、前記記録媒体に格納された指令がコンピュータによって読み取られた場合に、
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、撮像光学系を介して前記被写体の光学像が結像されるイメージセンサと、を備えた撮像装置の制御機能であって、
前記表示デバイスの規定位置に表示される前記表示情報を、前記表示デバイス上で移動させる機能と、
前記表示デバイス上で移動する前記表示情報に対応して前記イメージセンサによる撮像範囲を移動させる機能と、
前記表示デバイス上の前記表示情報の移動及び前記撮像範囲の移動を、それぞれ移動量を変化させて繰り返し実行する機能と、
を前記撮像装置に実行させる制御機能をコンピュータに実現させる記録媒体。
【請求項２２】
（削除）
【請求項２３】
非一時的かつコンピュータ読取可能な記録媒体であって、前記記録媒体に格納された指令がコンピュータによって読み取られた場合に、
被写体の光学像を観察する光学ファインダと、表示デバイスと、前記光学ファインダの光路中に配置され、前記光学ファインダで観察される前記被写体の前記光学像と前記表示デバイスに表示される表示情報とを重畳させる光学素子と、前記表示デバイスと前記光学素子との間に配置された表示用光学系と、を備えたファインダ装置の制御機能であって、
前記表示デバイス又は前記表示用光学系を前記表示用光学系の光軸方向に移動させ、前記光学ファインダの接眼部により視認される前記表示情報の光学倍率を変化させる機能と、
前記表示デバイスに表示される前記表示情報の表示倍率を変化させ、前記表示情報の前記光学倍率の変化を相殺する機能と、
前記表示情報の光学倍率及び前記表示情報の表示倍率を、それぞれ倍率を変化させて繰り返し実行する機能と、
を前記ファインダ装置に実行させる制御機能をコンピュータに実現させる記録媒体。
【国際調査報告】
2019087928.tif 000019
2019087928.tif 000020
2019087928.tif 000021